(57)【特許請求の範囲】
【請求項１】
構成物を組み立てる方法であって、前記方法は、
−少なくとも２つの第１の要素（２０１、３０１）の第１群（２０、３０）を作成するステップ（５０１）であって、個別の第１の要素（２０１、３０１）が、
−互いから離間する少なくとも１つの第１の端面（１０１）及び少なくとも１つの第２の端面（１０２）と、
−少なくとも１つの長孔（１０５）と、
−高さが前記少なくとも１つの第１の端面（１０１）と前記少なくとも１つの第２の端面（１０２）との間の距離に満たない首部（１０６）と、
−前記少なくとも１つの第１の端面（１０１）及び／又は前記少なくとも１つの第２の端面（１０２）に、少なくとも１つの結合機関（１０７）と、を備え、
−前記少なくとも２つの第１の要素（２０１、３０１）は、交差するように、少なくとも部分的に組み合わされ、少なくとも１つの第１の要素（２０１、３０１）の前記少なくとも１つの長孔（１０５）は、少なくとも１つの他の第１の要素（２０１、３０１）の前記首部（１０６）に対して、少なくとも部分的に寸法決めされる、ステップ（５０１）と、
−前記ステップに応じて、少なくとも２つの第１の要素（２０１、３０１）を少なくとも部分的に組み合わせるステップ（２３、３５、５０２）と、
−少なくとも２つの第２の要素（２１１、３１１）の第２群（２１、３１）を作成するステップ（５０３）であって、個別の第２の要素（２１１、３１１）が、
−互いから離間する少なくとも１つの第１の端面（１０１）及び少なくとも１つの第２の端面（１０２）と、
−少なくとも１つの長孔（１０５）と、
−高さが前記少なくとも１つの第１の端面（１０１）と前記少なくとも１つの第２の端面（１０２）との間の距離に満たない首部（１０６）と、
−前記少なくとも１つの第１の端面（１０１）及び／又は前記少なくとも１つの第２の端面（１０２）に、少なくとも１つの結合機関（１０７）と、を備え、
−前記少なくとも２つの第２の要素（２１１、３１１）は、交差するように、少なくとも部分的に組み合わされ、少なくとも１つの第２の要素（２１１、３１１）の前記少なくとも１つの長孔（１０５）は、少なくとも１つの他の第２の要素（２１１、３１１）の前記首部（１０６）に対して、少なくとも部分的に寸法決めされる、ステップ（５０３）と、
−前記ステップに応じて、前記少なくとも２つの第２の要素（２１１、３１１）を少なくとも部分的に組み合わせるステップ（２４、３６、５０４）と、
−少なくとも１つの第２の要素（２１１、３１１）の前記少なくとも１つの第２の端面（１０２）を、前記少なくとも１つの第１の要素（２０１、３０１）の前記少なくとも１つの第１の端面（１０１）に少なくとも部分的に装着し、要素のそれぞれの群（２０、３０）が前記構成物の層を形成するステップ（２３〜２４、３５〜３６、５０５〜５０６、５１１）と、
−少なくとも２つの第３の要素（２２１、３２１、３３１、３４１）の少なくとも１つの第３群（２２、３２〜３４）を作成するステップ（５０７）であって、個別の第３の要素（２２１、３２１、３３１、３４１）が、
−互いから離間する少なくとも１つの第１の端面（１０１）と少なくとも１つの第２の端面（１０２）と、
−少なくとも１つの長孔（１０５）と、
−高さが前記少なくとも１つの第１の端面（１０１）と前記少なくとも１つの第２の端面（１０２）との間の距離に満たない首部（１０６）と、
−前記少なくとも１つの第１の端面（１０１）及び／又は前記少なくとも１つの第２の端面（１０２）に、少なくとも１つの結合機関（１０７）と、を備え、
−前記少なくとも２つの第３の要素（２２１、３２１、３３１、３４１）は、交差するように、少なくとも部分的に組み合わすことができ、少なくとも１つの第３の要素（２２１、３２１、３３１、３４１）の前記少なくとも１つの長孔（１０５）は、少なくとも１つの他の第３の要素（２２１、３２１、３３１、３４１）の前記首部（１０６）に対して、少なくとも部分的に寸法決めされる、ステップ（５０７）と、
−前記ステップに応じて、少なくとも２つの第３の要素（２２１、３２１、３３１、３４１）を少なくとも部分的に組み合わせるステップ（２５、３７〜３９、５０８）と、
−前記構成物の前の層（２４、３６〜３８）にて、少なくとも１つの第３の要素（２２１、３２１、３３１、３４１）の前記少なくとも１つの第２の端面（１０２）を、少なくとも１つの要素（２１１、３１１、３２１、３３１）の少なくとも１つの第１の端面（１０１）に少なくとも部分的に装着するステップ（５０９〜５１０、５１１）と、
−要素の少なくとも１つの群（２０〜２２、３０〜３４）の前記少なくとも２つの要素（２０１、２１１、２２１、３０１、３１１、３２１、３３１、３４１）の前記第１の端面（１０１）が、組み合わされた場合に互いに比較したとき、異なるレベルに少なくとも部分的に位置づけられるように、前記少なくとも２つの要素（２０１、２１１、２２１、３０１、３１１、３２１、３３１、３４１）の前記第１の端面（１０１）を寸法決めするステップ（５０５〜５０６、５０９〜５１１）と、を含む、方法。
【請求項２】
前記方法は、要素の少なくとも１つの群（２０〜２２、３０〜３４）の前記少なくとも２つの要素（２０１、２１１、２２１、３０１、３１１、３２１、３３１、３４１）の前記第１の端面（１０１）が、組み合わされた場合に互いに比較したとき、同一レベルに少なくとも部分的に位置づけられるように、前記少なくとも２つの要素（２０１、２１１、２２１、３０１、３１１、３２１、３３１、３４１）の前記第１の端面（１０１）を寸法決めするステップ（５０５〜５０６、５０９〜５１１）をさらに含むことを特徴とする、請求項１に記載の方法。
【請求項３】
前記方法は、少なくとも２つの要素（２０１、２１１、２２１、３０１、３１１、３２１、３３１、３４１）の少なくとも１つの群（２０〜２２、３０〜３４）の少なくとも１つの個別の要素（２０１、２１１、２２１、３０１、３１１、３２１、３３１、３４１）を、少なくとも２つの構成物を互いに接続する接続要素（４０４〜４０６）であるように構成するステップであって、前記少なくとも１つの接続要素（４０４〜４０６）は、
−第１の端部（４００４）及び第２の端部（４００５）と、
−前記第１の端部（４００４）と前記第２の端部（４００５）との間で、互いから離間する少なくとも１つの第１の端面（４００１）及び少なくとも１つの第２の端面（４００２）と、
−実質的に前記第１の端部（４００４）にある少なくとも１つの長孔（４００３）及び実質的に前記第２の端部（４００５）にある少なくとも１つの長孔（４００３）であって、前記少なくとも２つの長孔（４００３）は、前記少なくとも１つの第１の端面（４００１）及び／又は前記少なくとも１つの第２の端面（４００２）から、高さが前記少なくとも１つの第１の端面（４００１）と前記少なくとも１つの第２の端面（４００２）との間の距離に満たない少なくとも１つの首部（４００６）に向かって延びる、長孔（４００３）と、を備え、
−前記少なくとも１つの接続要素（４０４〜４０６）は、少なくとも２つの要素（２０１、２１１、２２１、３０１、３１１、３２１、３３１、３４１）の前記少なくとも１つの群（２０〜２２、３０〜３４）の少なくとも１つの個別の要素（２０１、２１１、２２１、３０１、３１１、３２１、３３１、３４１）と交差するように、少なくとも部分的に組み合わせることができ、前記少なくとも１つの接続要素（４０４〜４０６）の両端部（４００４、４００５）の前記少なくとも１つの長孔（４００３）は、少なくとも２つの要素（２０１、２１１、２２１、３０１、３１１、３２１、３３１、３４１）の前記少なくとも１つの群（２０〜２２、３０〜３４）の前記少なくとも１つの他の個別の要素（２０１、２１１、２２１、３０１、３１１、３２１、３３１、３４１）の前記首部（１０５）に対して、少なくとも部分的に寸法決めされる、ステップをさらに含むことを特徴とする、請求項１に記載の方法。
【請求項４】
前記方法は、前記ステップに応じて、前記少なくとも１つの接続要素（４０４〜４０６）を、少なくとも２つの要素（２０１、２１１、２２１、３０１、３１１、３２１、３３１、３４１）の前記少なくとも１つの群（２０〜２２、３０〜３４）の少なくとも１つの個別の要素（２０１、２１１、２２１、３０１、３１１、３２１、３３１、３４１）と、少なくとも部分的に組み合わせるステップ（４０〜４２）をさらに含むことを特徴とする、請求項３に記載の方法。
【請求項５】
前記方法は、前記少なくとも２つの接続要素（４０４〜４０６）の一方の少なくとも１つの長孔（４００３）を、少なくとも１つの交点（４１０）を形成する前記少なくとも２つの接続要素（４０４〜４０６）の他方の少なくとも１つの首部（４００６）に対して、少なくとも部分的に寸法決めすることによって、前記少なくとも１つの接続要素（４０４〜４０６）を、少なくとも１つの他の接続要素（４０４〜４０６）と組み合わせるステップをさらに含むことを特徴とする、請求項４に記載の方法。
【請求項６】
前記方法は、少なくとも１つの結合部（４０７〜４０９）によって、前記少なくとも１つの接続要素（４０４〜４０６）を、前記少なくとも１つの他の接続要素（４０４〜４０６）とさらに組み合わせるステップであって、前記少なくとも１つの結合部（４０７〜４０９）は、
−互いから離間する少なくとも１つの第１の端面（１０１）及び少なくとも１つの第２の端面（１０２）と、
−少なくとも１つの長孔（１０５）と、
−高さが前記少なくとも１つの第１の端面（１０１）と前記少なくとも１つの第２の端面（１０２）との間の距離に満たない首部（１０６）と、を備え、
前記少なくとも１つの結合部（４０７〜４０９）の前記少なくとも１つの長孔（１０５）は、前記少なくとも２つの接続要素（４０４〜４０６）の前記交点（４１０）に対して、少なくとも部分的に寸法決めされる、ステップをさらに含むことを特徴とする、請求項５に記載の方法。
【請求項７】
前記方法は、少なくとも２つの要素の１つの群（２０〜２２、３０〜３４）の前記の個別の要素（２０１、２１１、２２１、３０１、３１１、３２１、３３１、３４１）を、交差するように、少なくとも部分的に組み合わせ、少なくとも１つの個別の要素（２０１、２１１、２２１、３０１、３１１、３２１、３３１、３４１）の前記少なくとも１つの長孔（１０５）は、少なくとも２つの要素の同一の群の少なくとも１つの他の個別の要素（２０１、２１１、２２１、３０１、３１１、３２１、３３１、３４１）の前記首部（１０６）に対して、少なくとも部分的に寸法決めされるステップ（２０〜２５、３０〜３９、５０２、５０４、５０８）をさらに含むことを特徴とする、請求項１〜６のいずれか１項に記載の方法。
【請求項８】
前記方法は、前記構成物の前の層（２３〜２５、３５〜３９）にて、少なくとも１つの個別の第２又は第３の要素（２１１、２２１、３１１、３２１、３３１、３４１）の少なくとも１つの第２の端面（１０２）を、少なくとも１つの個別の第１、第２又は第３の要素（２０１、２１１、２２１、３０１、３１１、３２１、３３１、３４１）の少なくとも１つの第１の端面（１０１）に少なくとも部分的に装着するステップ（５０５、５０９〜５１０）をさらに含むことを特徴とする、請求項７に記載の方法。
【請求項９】
前記方法は、前記構成物を組み立てることによって三次元物体を形成するステップ（２３〜２５、３５〜３９、５１１）をさらに含むことを特徴とする、請求項１〜８のいずれか１項に記載の方法。
【請求項１０】
組立式の構成物であって、前記構成物は、
−少なくとも２つの第１の要素（２０１、３０１）の第１群（２０、３０）であって、個別の第１の要素（２０１、３０１）が、
−互いから離間する少なくとも１つの第１の端面（１０１）及び少なくとも１つの第２の端面（１０２）と、
−少なくとも１つの長孔（１０５）と、
−前記少なくとも１つの第１の端面（１０１）及び／又は前記少なくとも１つの第２の端面（１０２）に、少なくとも１つの結合機関（１０７）と、
−高さが前記少なくとも１つの第１の端面（１０１）と前記少なくとも１つの第２の端面（１０２）との間の距離に満たない首部（１０６）と、を備える、第１群（２０、３０）を備え、
−前記少なくとも２つの第１の要素（２０１、３０１）は、交差するように、少なくとも部分的に組み合わすことができ、少なくとも１つの第１の要素（２０１、３０１）の前記少なくとも１つの長孔（１０５）は、少なくとも１つの他の第１の要素（２０１、３０１）の前記首部（１０６）に対して、少なくとも部分的に寸法決めされ、
−少なくとも２つの第２の要素（２１１、３１１）の第２群（２１、３１）であって、個別の第２の要素（２１１、３１１）が、
−互いから離間する少なくとも１つの第１の端面（１０１）と少なくとも１つの第２の端面（１０２）と、
−少なくとも１つの長孔（１０５）と、
−前記少なくとも１つの第１の端面（１０１）及び／又は前記少なくとも１つの第２の端面（１０２）に、少なくとも１つの結合機関（１０７）と、
−高さが前記少なくとも１つの第１の端面（１０１）と前記少なくとも１つの第２の端面（１０２）との間の距離に満たない首部（１０６）と、を備える、第２群（２１、３１）を備え、
−前記少なくとも２つの第２の要素（２１１、３１１）は、交差するように、少なくとも部分的に組み合わすことができ、少なくとも１つの第２の要素（２１１、３１１）の前記少なくとも１つの長孔（１０５）は、少なくとも１つの他の第２の要素（２１１、３１１）の前記首部（１０６）に対して、少なくとも部分的に寸法決めされ、
−少なくとも１つの第２の要素（２１１、３１１）の前記少なくとも１つの第２の端面（１０２）は、要素の群（２０、３０）がそれぞれ、前記構成物の層（２３〜２４、３５〜３６）を形成するように、前記少なくとも１つの第１の要素（２０１、３０１）の前記少なくとも１つの第１の端面（１０１）に少なくとも部分的に装着することができ、
−少なくとも２つの第３の要素（２２１、３２１、３３１、３４１）の少なくとも１つの第３群（２２、３２〜３４）であって、個別の第３の要素（２２１、３２１、３３１、３４１）が、
−互いから離間する少なくとも１つの第１の端面（１０１）と少なくとも１つの第２の端面（１０２）と、
−少なくとも１つの長孔（１０５）と、
−前記少なくとも１つの第１の端面（１０１）及び／又は前記少なくとも１つの第２の端面（１０２）に、少なくとも１つの結合機関（１０７）と、
−高さが前記少なくとも１つの第１の端面（１０１）と前記少なくとも１つの第２の端面（１０２）との間の距離に満たない首部（１０６）と、を備える、第３群（２２、３２〜３４）を備え、
−前記少なくとも２つの第３の要素（２２１、３２１、３３１、３４１）は、交差するように、少なくとも部分的に組み合わすことができ、少なくとも１つの第３の要素（２２１、３２１、３３１、３４１）の前記少なくとも１つの長孔（１０５）は、少なくとも１つの他の第３の要素（２２１、３２１、３３１、３４１）の前記首部（１０６）に対して、少なくとも部分的に寸法決めされ、
−少なくとも１つの第３の要素（２２１、３２１、３３１、３４１）の前記少なくとも１つの第２の端面（１０２）は、前記構成物の前の層（２４、３６〜３８）にて、少なくとも１つの要素（２１１、３１１、３２１、３３１）の少なくとも１つの第１の端面（１０１）に対して、少なくとも部分的に寸法決めすることができ、
−要素の少なくとも１つの群（２０〜２２、３０〜３４）の前記少なくとも２つの要素（２０１、２１１、２２１、３０１、３１１、３２１、３３１、３４１）の前記第１の端面（１０１）は、組み合わされた場合に互いに比較したとき、異なるレベルに位置づけられる、構成物。
【請求項１１】
要素の少なくとも１つの群（２０〜２２、３０〜３４）の前記少なくとも２つの要素（２０１、２１１、２２１、３０１、３１１、３２１、３３１、３４１）の前記第１の端面（１０１）は、組み合わされた場合に互いに比較したとき、少なくとも部分的に同一レベルに位置づけられることを特徴とする、請求項１０に記載の構成物。
【請求項１２】
少なくとも２つの要素（２０１、２１１、２２１、３０１、３１１、３２１、３３１、３４１）の少なくとも１つの群（２０〜２２、３０〜３４）の少なくとも１つの個別の要素（２０１、２１１、２２１、３０１、３１１、３２１、３３１、３４１）は、少なくとも２つの構成物を互いに接続する接続要素（４０４〜４０６）であるように構成されることを特徴とする、請求項１０に記載の構成物。
【請求項１３】
前記少なくとも１つの接続要素（４０４〜４０６）は、
−第１の端部（４００４）及び第２の端部（４００５）と、
−前記第１の端部（４００４）と前記第２の端部（４００５）との間で、互いから離間する少なくとも１つの第１の端面（４００１）及び少なくとも１つの第２の端面（４００２）と、
−実質的に前記第１の端部（４００４）にある少なくとも１つの長孔（４００３）及び実質的に前記第２の端部（４００５）にある少なくとも１つの長孔（４００３）であって、前記少なくとも２つの長孔（４００３）は、前記少なくとも１つの第１の端面（４００１）及び／又は前記少なくとも１つの第２の端面（４００２）から、高さが前記少なくとも１つの第１の端面（４００１）と前記少なくとも１つの第２の端面（４００２）との間の距離に満たない少なくとも１つの首部（４００６）に向かって延びる、長孔（４００３）と、を備え、
−前記少なくとも１つの接続要素（４０４〜４０６）は、少なくとも２つの要素（２０１、２１１、２２１、３０１、３１１、３２１、３３１、３４１）の前記少なくとも１つの群（２０〜２２、３０〜３４）の少なくとも１つの個別の要素（２０１、２１１、２２１、３０１、３１１、３２１、３３１、３４１）と、交差するように、少なくとも部分的に組み合わせることができ、前記少なくとも１つの接続要素（４０４〜４０６）の両端部（４００４、４００５）の前記少なくとも１つの長孔（４００３）は、少なくとも２つの要素（２０１、２１１、２２１、３０１、３１１、３２１、３３１、３４１）の前記少なくとも１つの群（２０〜２２、３０〜３４）の前記少なくとも１つの他の個別の要素（２０１、２１１、２２１、３０１、３１１、３２１、３３１、３４１）の前記首部（１０５）に対して、少なくとも部分的に寸法決めされ、
−前記少なくとも１つの接続要素（４０４〜４０６）は、少なくとも２つの要素（２０１、２１１、２２１、３０１、３１１、３２１、３３１、３４１）の前記少なくとも１つの群（２０〜２２、３０〜３４）の少なくとも１つの個別の要素（２０１、２１１、２２１、３０１、３１１、３２１、３３１、３４１）と、少なくとも部分的に組み合わすこと（４０〜４３）ができることを特徴とする、請求項１２に記載の構成物。
【請求項１４】
前記少なくとも２つの接続要素（４０４〜４０６）の一方の少なくとも１つの長孔（４００３）を、少なくとも１つの交点（４１０）を形成する前記少なくとも２つの接続要素（４０４〜４０６）の他方の少なくとも１つの首部（４００６）に対して、寸法決めすることによって、前記少なくとも１つの接続要素（４０４〜４０６）は、少なくとも１つの他の接続要素（４０４〜４０６）とさらに組み合わせることができることを特徴とする、請求項１３に記載の構成物。
【請求項１５】
前記少なくとも１つの接続要素（４０４〜４０６）は、少なくとも１つの結合部（４０７〜４０９）によって、前記少なくとも１つの他の接続要素（４０４〜４０６）とさらに組み合わせることができ、前記少なくとも１つの結合部（４０７〜４０９）は、
−互いから離間する少なくとも１つの第１の端面（１０１）及び少なくとも１つの第２の端面（１０２）と、
−少なくとも１つの長孔（１０５）と、
−高さが前記少なくとも１つの第１の端面（１０１）と前記少なくとも１つの第２の端面（１０２）との間の距離に満たない首部（１０６）と、を備え、
前記少なくとも１つの結合部（４０７〜４０９）の前記少なくとも１つの長孔（１０５）は、前記少なくとも２つの接続要素（４０４〜４０６）の前記交点（４１０）に対して、少なくとも部分的に寸法決めされる、ことを特徴とする、請求項１４に記載の構成物。
【請求項１６】
少なくとも２つの要素の１つの群（２０〜２２、３０〜３４）の前記の個別の要素（２０１、２１１、２２１、３０１、３１１、３２１、３３１、３４１）は、交差するように、少なくとも部分的に組み合わされ、少なくとも１つの個別の要素（２０１、２１１、２２１、３０１、３１１、３２１、３３１、３４１）の前記少なくとも１つの長孔（１０５）は、少なくとも２つの要素の同一の群（２０〜２５、３０〜３９）の少なくとも１つの他の個別の要素（２０１、２１１、２２１、３０１、３１１、３２１、３３１、３４１）の前記首部（１０６）に対して、少なくとも部分的に寸法決めされる、請求項１０〜１５のいずれか１項に記載の構成物。
【請求項１７】
少なくとも１つの個別の第２又は第３の要素（２１１、２２１、３１１、３２１、３３１、３４１）の前記少なくとも１つの第２の端面（１０２）は、前記構成物の前の層（２３〜２５、３５〜３９）にて、少なくとも１つの個別の第１、第２又は第３の要素（２０１、２１１、２２１、３０１、３１１、３２１、３３１、３４１）の少なくとも１つの第１の端面（１０１）に少なくとも部分的に装着されることを特徴とする、請求項１６に記載の構成物。
【請求項１８】
前記構成物は、組み立てられた場合（２３〜２５、３５〜３９、５１１）に三次元物体を形成することを特徴とする、請求項１０〜１７のいずれか１項に記載の構成物。
【発明の詳細な説明】
【技術分野】
【０００１】
本発明は、構成物を組み立てる方法に関する。本発明はこのほか、対応する組立式構成物に関する。
【背景技術】
【０００２】
三次元物体を形成する方法及び対応する物体が特許文献１（欧州特許第１５３０９９０号明細書）に開示されている。特許文献１による方法及び物体は、例えば、装飾物のような比較的小型の物体に適している。特許文献１による方法及び物体を、高所用の内部装飾要素、エコー消去要素、化粧柱、小屋、人工木など、例えば、かなりの高さを必要とする三次元物体のようないっそう大きな物体に適用することには、避けることのできない実務上の問題がある。
【０００３】
まず、三次元物体は、特許文献１に開示されているように作成及び製造されたのであれば、大型になるほど、高さ又は幅あるいはその双方の点で大型の梱包容器を必要とするため、梱包、格納、運搬を実現する困難さが増す。そのように大きくなった三次元物体の梱包、格納、運搬のコストは、無駄に高いため、削減する必要がある。
【０００４】
また、三次元物体は、特許文献１に開示されているように製造されたのであれば、大型になるほど、単一要素それぞれが比較的背が高く、幅が広いため、組み立てるのが難しい。一人の人間が単独で、このように大型化した三次元物体を組み立てることはできない。背が高く幅の広い物体は組み立てにも多くの空間を必要とし、組み立てには安全面での問題が発生する可能性もあるため、この物体を配置することになる空間に応じて、物体を外部で組み立てたり、簡単に組み立ててから運搬する必要がある可能性もある。このように大きめの三次元物体の組み立て上の問題を解決しなければならない。
【０００５】
また、特許文献１に開示されるように、大きめの三次元物体を製造すると、材料の浪費がかなり発生する。三次元物体の単一要素が複雑なものになるほど、単一要素が一体型の形態でのみ製造される場合には、廃材が増える。また、製造中に物体の要素のうち、１つでも品質の低いものがあると、欠陥を含む要素の全体が無駄になる。要素が大きめの場合には、上記のどちらの場合にも廃材の量が無駄に大きくなり、不必要な製造コストがかさむことになる。材料の浪費も、その材料の製造コストも削減する必要がある。
このため、構成物を組み立てる方法及び対応する組立式構成物が、上記に提示された避けられない問題と制限を解消するのに必要である。
【先行技術文献】
【特許文献】
【０００６】
【特許文献１】欧州特許第１５３０９９０号明細書
【発明の概要】
【０００７】
本発明は、三次元物体を形成する構成物を組み立てる方法を提供することを目的とする。本発明はこのほか、三次元物体を形成する、対応する組立式構成物を提供することを目的とする。
【０００８】
このほか、本発明は、小さめの要素を用いながらも大型の三次元物体を作成することによって、費用効率よく梱包し、格納し、運搬することができる組立式構成物として、比較的大型の三次元物体を製造可能にすることを目的とする。
【０００９】
また、本発明は、比較的大型の三次元物体を、小さめの要素を用いながらも大型の三次元物体を作成することによって、その物体が配置されることになる空間で組み立てることができる構成物として、設計し、製造することを可能にすることを目的とする。本発明は、物体のアセンブリを安全なものにすることを目的とする。
【００１０】
さらに、本発明は、小さめの要素を用いながらも大型の三次元物体を作成することにより、生産材料をさらに効果的に使用できるようにすることによって、先行技術として知られる方法により大型の三次元物体を製造中に発生する材料浪費を削減することを目的とする。
【００１１】
最終的に、本発明は、作成されることになる物体用のいくつかの要素の同時生産を可能にすることになる組立式構成物として、小さめの要素を用いながらも大型の三次元物体を作成することによって、生産効果を向上させることを目的とする。
【００１２】
本発明の目的は、構成物を組み立てる方法を提供することによって達成される。この方法は、少なくとも２つの第１の要素の第１群を作成するステップであって、個別の第１の要素が、
−互いから離間する少なくとも１つの第１の端面と少なくとも１つの第２の端面と、
−少なくとも１つの長孔と、
−高さが少なくとも１つの第１の端面と少なくとも１つの第２の端面との間の距離に満たない首部と、を備え、
−少なくとも２つの第１の要素は、交差するように、少なくとも部分的に組み合わされ、少なくとも１つの第１の要素の少なくとも１つの長孔は、少なくとも１つの他の第１の要素の首部に対して、少なくとも部分的に寸法決めされる、ステップと、
少なくとも２つの第１の要素を、上記ステップに応じて、少なくとも部分的に組み合わせるステップとを含む。ここで、構成物は、少なくとも２つの第２の要素の第２群を作成するステップであって、個別の第２の要素が、
−互いから離間する少なくとも１つの第１の端面と少なくとも１つの第２の端面と、
−少なくとも１つの長孔と、
−高さが少なくとも１つの第１の端面と少なくとも１つの第２の端面との間の距離に満たない首部と、を備え、
−少なくとも２つの第２の要素は、交差するように、少なくとも部分的に組み合わされ、そのため、少なくとも１つの第２の要素の少なくとも１つの長孔は、少なくとも１つの他の第２の要素の首部（１０６）に対して、少なくとも部分的に寸法決めされる、ステップと、
少なくとも２つの第２の要素を、上記ステップに応じて、少なくとも部分的に組み合わせるステップと、少なくとも１つの第２の要素の少なくとも１つの第２の端面を、前記少なくとも１つの第１の要素の少なくとも１つの第１の端面に少なくとも部分的に装着し、そのため、要素のそれぞれの群が構成物の層を形成するステップと、を含む。
【００１３】
このほか、本発明の目的は、少なくとも２つの第１の要素の第１群を備える組立式構成物を提供することによって達成される。ここで、個別の第１の要素は、
−互いから離間する少なくとも１つの第１の端面と少なくとも１つの第２の端面と、
−少なくとも１つの長孔と、
−高さが少なくとも１つの第１の端面と少なくとも１つの第２の端面との間の距離に満たない首部と、を備え、
少なくとも２つの第１の要素は、交差するように、少なくとも部分的に組み合わすことができ、そのため、少なくとも１つの第１の要素の少なくとも１つの長孔は、少なくとも１つの他の第１の要素の首部に対して、少なくとも部分的に寸法決めされる。構成物は、少なくとも２つの第２の要素の第２群をさらに備える。ここで、個別の第２の要素は、
−互いから離間する少なくとも１つの第１の端面と少なくとも１つの第２の端面と、
−少なくとも１つの長孔と、
−高さが少なくとも１つの第１の端面と少なくとも１つの第２の端面との間の距離に満たない首部と、を備え、
少なくとも２つの第２の要素は、交差するように、少なくとも部分的に組み合わされ、そのため、少なくとも１つの第２の要素の少なくとも１つの長孔は、少なくとも１つの他の第２の要素の首部に対して、少なくとも部分的に寸法決めされ、少なくとも１つの第２の要素の少なくとも１つの第２の端面を、前記少なくとも１つの第１の要素の少なくとも１つの第１の端面に少なくとも部分的に装着し、そのため、要素のそれぞれの群が構成物の層を形成する。
【００１４】
本発明の基本概念は、以下の通りである。個別の要素の少なくとも２つの群が存在し、それぞれの群が少なくとも２つの個別の要素を備える。各個別の要素は、互いから離間する少なくとも１つの第１の端面と少なくとも１つの第２の端面と、比較的狭く、要素の内側に向かって延びる少なくとも１つの長孔と、高さが少なくとも１つの第１の端面と少なくとも１つの第２の端面との間の距離に満たない首部とを備える。
【００１５】
要素の１つの群内の少なくとも２つの要素の各群では、少なくとも２つの要素は、組み合わすことができる。要素の１つの群内の少なくとも２つの要素は、少なくとも部分的に組み合わすことができ、そのため、少なくとも１つの要素の少なくとも１つの長孔は、少なくとも１つの他の要素の首部に対して、少なくとも部分的に交差するように寸法決めされる。構成物を組み立てるために、１つの群内の少なくとも２つの要素は、上記に応じて、少なくとも部分的に組み合わされる。
【００１６】
また、１つの群の少なくとも２つの要素は、別の群の少なくとも２つの要素と組み合わすことができる。１つの群の少なくとも２つの要素は、１つの群からの少なくとも１つの要素の少なくとも１つの第２の端面が別の群からの少なくとも１つの要素の少なくとも１つの第１の端面に少なくとも部分的に装着されるように、別の群の少なくとも２つの要素と組み合わすことができる。要素の各群は、構成物の層を形成する。
【００１７】
有利なことには、本発明による構成物は、一時的な屋内の支柱、化粧柱、小屋又は小屋の一部、人工木、一時的な屋内構成をはじめとする一時的な構成の基盤として使用するようなさまざまな目的に適用してもよい。このほか有利なことには、本発明による構成物は、合板、エコー消去被覆材を備える合板、人口木材、エコー消去に適した材料、段ボールおよびプラスチックのうちの少なくとも１つから作成されてもよい。さらに、有利なことには、本発明による構成物は、エコー消去要素として用いられてもよい。さらに有利なことには、本発明による構成物は、さまざまな大きさ及び寸法の三次元物体の形成に適用してもよい。きわめて有利なことには、本発明による構成物は、組み立てられた場合に、三次元物体を形成する。
【００１８】
本発明の１つの有利な実施形態では、少なくとも２つの要素の群を少なくとももう１つ加えることによって、追加の層を構成物に加えることができる。新たな群の少なくとも２つの要素は、前に組み立てられた要素の群の少なくとも２つの要素に組み合わせることができ、そのため、新たな群からの少なくとも１つの要素の少なくとも１つの第２の端面は、前に組み立てられた群からの少なくとも１つの要素の少なくとも１つの第１の端面に少なくとも部分的に装着される。要素の各群は、構成物の新たな層を形成する。
【００１９】
本発明の別の有利な実施形態では、要素の少なくとも１つの群の少なくとも２つの要素の第１の端面は、組み合わせられた場合に互いに比較したとき、少なくとも部分的に同一レベルに位置づけられる。
【００２０】
本発明の第３の有利な実施形態では、要素の少なくとも１つの群の少なくとも２つの要素の第１の端面は、組み合わせられた場合に互いに比較したとき、異なるレベルに位置づけられる。要素の少なくとも１つの群の少なくとも２つの要素の第１の端面は、階段状にらせん状に立ち上がる。
【００２１】
本発明の第４の有利な実施形態では、少なくとも２つの要素の少なくとも１つの群の少なくとも１つの個別の要素が、少なくとも２つの構成物を互いに接続する接続要素であるように構成される。これにより、本発明による少なくとも２つの構成物の組み合わせが作成可能になる。
【００２２】
また、本発明の適用範囲は、以下に記載する詳細な説明から明らかになるであろう。しかし、詳細な説明及び特定の例は、本発明の好適な実施形態を示してはいるが、本発明のこのような例示的実施形態に対する種々の変更及び改良がこの詳細な説明から当業者には明らかになるであろうことから、実例として提示されているにすぎないことを理解する必要がある。
【図面の簡単な説明】
【００２３】
本発明は、本明細書で以下に記載する詳細な説明と、実例としてのみ示されるため、本発明を限定するものではない添付図面とからさらに全体的に理解されるであろう。
【図１ａ】本発明による例示的な個別の要素を示す図。
【図１ｂ】本発明による別の例示的な個別の要素を示す図。
【図１ｃ】本発明による第３の例示的な個別の要素を示す図。
【図１ｄ】本発明による第４の例示的な個別の要素を示す図。
【図２ａ】本発明による構成物の要素の例示的な設定を示す図。
【図２ｂ】本発明による構成物の要素の例示的な組み立てを示す図。
【図３ａ】本発明による構成物の要素の別の例示的な設定を示す図。
【図３ｂ】本発明による構成物の要素の別の例示的な組み立てを示す図。
【図３ｃ】図３ｂの続きであり、本発明による構成物の要素の別の例示的な組み立てを示す図。
【図４ａ】本発明による例示的な接続要素を示す図。
【図４ｂ】本発明による別の例示的な接続要素を示す図。
【図４ｃ】接続要素の例示的な適用例を示す図。
【図４ｄ】図４ｃの続きであり、接続要素の例示的な適用例を示す図。
【図５】本発明による例示的な方法のステップを示す図。
【発明を実施するための形態】
【００２４】
以下の記載では、考察した実施形態が例示的なものであるにすぎず、当業者が本発明を実施する他の方法に気づく可能性がある。本明細書では、いくつかの個所で「一実施形態」「１つの実施形態」又は「いくつかの実施形態」に言及することがあるが、これは、そのような言及のそれぞれが同一の実施形態に対してなされていることも、構成要件が単一の実施形態にのみ適用されることも必ずしも意味しない。このほか、異なる実施形態の単一の構成要件が、他の実施形態を提供するために組み合わされてもよい。
【００２５】
図１ａは、本発明による例示的な個別の要素を示す。この要素は、少なくとも１つの第１の端面１０１と、少なくとも１つの第２の端面１０２と、少なくとも１つの長孔１０５と、首部１０６とを備える。少なくとも１つの第１の端面１０１と少なくとも１つの第２の端面１０２とは互いから離間している。少なくとも１つの第１の端面１０１と少なくとも１つの第２の端面１０２とは互いから離間しており、この間の距離は、少なくとも１つの第１の側面１０３及び少なくとも１つの第２の側面１０４の長さによって規定される。少なくとも１つの第１の側面１０３と少なくとも１つの第２の側面１０４とは互いから離間している。少なくとも１つの第１の側面１０３と少なくとも１つの第２の側面１０４とは互いから離間しており、その間の距離は、少なくとも１つの第１の端面１０１及び少なくとも１つの第２の端面１０２の少なくとも長さによって規定される。
【００２６】
少なくとも１つの長孔１０５は、少なくとも１つの第１の端面１０１から要素の内側部分に向かって延びる。有利なことには、少なくとも１つの長孔１０５は、少なくとも１つの第１の端面１０１から要素の内側部分に向かって要素の首部１０６まで延びる。少なくとも１つの長孔１０５の長さは、少なくとも１つの第１の側面１０３の長さに満たない。少なくとも１つの長孔１０５の長さはこのほか、少なくとも１つの第２の側面１０４の長さに満たない。少なくとも１つの長孔１０５の長さは、少なくとも１つの第１の側面１０３及び少なくとも１つの第２の側面１０４の長さに満たない。
【００２７】
首部１０６は、要素を第１の半体と第２の半体とに分割する。第１の半体は、要素の少なくとも１つの第１の側面１０３の側にある部分である。第２の半体は、要素の少なくとも１つの第２の側面１０４の側にある部分である。首部１０６の高さは、少なくとも１つの第１の端面１０１と少なくとも１つの第２の端面１０２との間の距離に満たない。首部１０６の高さは、少なくとも１つの第１の側面１０３の長さに満たない。首部１０６の高さは、少なくとも１つの第２の側面１０４の長さに満たない。有利なことには、首部１０６の高さは、少なくとも１つの第１の側面１０３及び少なくとも１つの第２の側面１０４の長さに満たない。首部１０６の幅は、最大でも、要素の最大幅の長孔１０５の幅である。首部１０６の幅は、第１の端面１０１の長さに満たない。首部１０６の幅は、第２の端面１０２の長さに満たない。首部１０６の幅は、第１の端面１０１及び第２の端面１０２の長さに満たない。
【００２８】
図１ｂは、本発明による別の例示的な個別の要素を示す。この要素は、少なくとも１つの第１の端面１０１と、少なくとも１つの第２の端面１０２と、少なくとも１つの長孔１０５と、少なくとも１つの内側長孔１０５ａと、首部１０６とを備える。少なくとも１つの第１の端面１０１と少なくとも１つの第２の端面１０２とは互いから離間される。少なくとも１つの第１の端面１０１と少なくとも１つの第２の端面１０２とは互いから離間されており、この間の距離は、少なくとも１つの第１の側面１０３及び少なくとも１つの第２の側面１０４の長さによって規定される。少なくとも１つの第１の側面１０３と少なくとも１つの第２の側面１０４とは互いから離間される。少なくとも１つの第１の側面１０３と少なくとも１つの第２の側面１０４とは互いから離間されており、この間の距離は、少なくとも１つの第１の端面１０１及び少なくとも１つの第２の端面１０２の少なくとも長さによって規定される。
【００２９】
少なくとも１つの長孔１０５は、少なくとも１つの第１の端面１０１から要素の内側部分に向かって延びる。有利なことには、少なくとも１つの長孔１０５は、少なくとも１つの第１の端面１０１から要素の内側部分に向かって要素の首部１０６まで延びる。少なくとも１つの長孔１０５の長さは、少なくとも１つの第１の側面１０３の長さに満たない。少なくとも１つの長孔１０５の長さはこのほか、少なくとも１つの第２の側面１０４の長さに満たない。少なくとも１つの長孔１０５の長さは、少なくとも１つの第１の側面１０３及び少なくとも１つの第２の側面１０４の長さに満たない。さらに有利なことには、第１の端面１０１から延びる少なくとも１つの長孔１０５は、少なくとも１つの長孔１０５から、少なくとも１つの長孔１０５自体よりもさらに要素の内側部分に向かって延びる少なくとも１つの内側長孔１０５ａに連なる。少なくとも１つの長孔１０５と少なくとも１つの内側長孔１０５ａとを合わせた長さは、少なくとも１つの第１の側面１０３の長さに満たない。少なくとも１つの長孔１０５と少なくとも１つの内側長孔１０５ａとを合わせた長さはこのほか、少なくとも１つの第２の側面１０４の長さに満たない。少なくとも１つの長孔１０５と少なくとも１つの内側長孔１０５ａとを合わせた長さは、少なくとも１つの第１の側面１０３及び少なくとも１つの第２の側面１０４の長さに満たない。少なくとも１つの内側長孔１０５ａの幅は、少なくとも１つの長孔１０５の幅に満たない。
【００３０】
首部１０６は、要素を第１の半体と第２の半体とに分割する。第１の半体は、要素の少なくとも１つの第１の側面１０３の側にある部分である。第２の半体は、要素の少なくとも１つの第２の側面１０４の側にある部分である。首部１０６の高さは、互いから離間する少なくとも１つの第１の端面１０１と少なくとも１つの第２の端面１０２との間の距離に満たない。首部１０６の高さは、少なくとも１つの第１の側面１０３の長さに満たない。首部１０６の高さは、少なくとも１つの第２の側面１０４の長さに満たない。有利なことには、首部１０６の高さは、少なくとも１つの第１の側面１０３及び少なくとも１つの第２の側面１０４の長さに満たない。少なくとも１つの長孔１０５の長さは、首部１０６の高さが最大でも第１の側面１０３の長さと少なくとも１つの長孔１０５の長さとの間の差であるように、首部の高さを規定する。内側長孔１０５ａを設ける場合には、少なくとも１つの長孔１０５と少なくとも１つの内側長孔１０５ａとを合わせた長さは、首部１０６の高さが最大でも第１の側面１０３の長さと、少なくとも１つの長孔１０５と少なくとも１つの内側長孔１０５ａとを合わせた長さとの間の差であるように、首部の高さを規定する。首部１０６の幅は、最大でも、要素の最も幅の広い長孔１０５の幅である。首部１０６の幅は、第１の端面１０１の長さに満たない。首部１０６の幅は、第２の端面１０２の長さに満たない。首部１０６の幅は、第１の端面１０１及び第２の端面１０２の長さに満たない。
【００３１】
図１ｃは、本発明による第３の例示的な個別の要素を示す。この要素は、少なくとも１つの第１の端面１０１と、少なくとも１つの第２の端面１０２とを備える。少なくとも１つの第１の端面１０１と少なくとも１つの第２の端面１０２とは互いから離間する。少なくとも１つの第１の端面１０１と少なくとも１つの第２の端面１０２とは互いから離間しており、その間の距離は、少なくとも１つの第１の側面１０３及び少なくとも１つの第２の側面１０４の長さによって規定される。少なくとも１つの第１の側面１０３と少なくとも１つの第２の側面１０４とは互いから離間する。少なくとも１つの第１の側面１０３と少なくとも１つの第２の側面１０４とは互いから離間しており、その間の距離は、少なくとも１つの第１の端面１０１及び少なくとも１つの第２の端面１０２の少なくとも長さによって規定される。
【００３２】
少なくとも１つの長孔１０５は、少なくとも１つの第１の端面１０１から要素の内側部分に向かって延びる。有利なことには、少なくとも１つの長孔１０５は、少なくとも１つの第１の端面１０１から要素の内側部分に向かって要素の首部１０６まで延びる。少なくとも１つの長孔１０５の長さは、少なくとも１つの第１の側面１０３の長さに満たない。少なくとも１つの長孔１０５の長さはこのほか、少なくとも１つの第２の側面１０４の長さに満たない。少なくとも１つの長孔１０５の長さは、少なくとも１つの第１の側面１０３及び少なくとも１つの第２の側面１０４の長さに満たない。さらに有利なことには、第１の端面１０１から延びる少なくとも１つの長孔１０５は、少なくとも１つの長孔１０５の端部から、少なくとも１つの長孔１０５自体よりもさらに要素の内側部分に向かって延びる少なくとも１つの内側長孔１０５ａに連なる。少なくとも１つの長孔１０５と少なくとも１つの内側長孔１０５ａとを合わせた長さは、少なくとも１つの第１の側面１０３の長さに満たない。少なくとも１つの長孔１０５と少なくとも１つの内側長孔１０５ａとを合わせた長さはこのほか、少なくとも１つの第２の側面１０４の長さに満たない。少なくとも１つの長孔１０５と少なくとも１つの内側長孔１０５ａとを合わせた長さは、少なくとも１つの第１の側面１０３及び少なくとも１つの第２の側面１０４の長さに満たない。少なくとも１つの内側長孔１０５ａの幅は、少なくとも１つの長孔１０５の幅に満たない。この有利な実施形態では、さらに別の少なくとも１つの長孔１０５が少なくとも１つの第２の端面１０２から要素の内側部分に向かって要素の首部１０６まで延びる。さらに有利なことには、少なくとも１つの第２の端面１０２から要素の内側部分に向かって要素の首部１０６まで延びる少なくとも１つの長孔１０５はこのほか、少なくとも１つの長孔１０５の端部から、少なくとも１つの長孔１０５自体よりもさらに要素の内側部分に向かって延びる少なくとも１つの内側長孔１０５ａを有してもよい。
【００３３】
首部１０６は、要素を第１の半体と第２の半体とに分割する。第１の半体は、要素の少なくとも１つの第１の側面１０３の側にある部分である。第２の半体は、要素の少なくとも１つの第２の側面１０４の側にある部分である。首部１０６の高さは、互いから離間する少なくとも１つの第１の端面１０１と少なくとも１つの第２の端面１０２との間の距離に満たない。首部１０６の高さは、少なくとも１つの第１の側面１０３の長さに満たない。首部１０６の高さは、少なくとも１つの第２の側面１０４の長さに満たない。有利なことには、首部１０６の高さは、少なくとも１つの第１の側面１０３及び少なくとも１つの第２の側面１０４の長さに満たない。少なくとも１つの長孔１０５の長さは、首部１０６の高さが最大でも第１の側面１０３の長さと少なくとも１つの長孔１０５の長さとの間の差であるように、首部の高さを規定する。内側長孔１０５ａを設ける場合には、少なくとも１つの長孔１０５と少なくとも１つの内側長孔１０５ａとを合わせた長さは、首部１０６の高さが最大でも第１の側面１０３の長さと、少なくとも１つの長孔１０５と少なくとも１つの内側長孔１０５ａとを合わせた長さとの間の差であるように、首部の高さを規定する。首部１０６の幅は、最大でも、要素の最も幅の広い長孔１０５の幅である。首部１０６の幅は、第１の端面１０１の長さに満たない。首部１０６の幅は、第２の端面１０２の長さに満たない。首部１０６の幅は、第１の端面１０１及び第２の端面１０２の長さに満たない。
【００３４】
図１ｄは、本発明による第４の例示的な個別の要素を示す。この要素は、少なくとも１つの第１の端面１０１と、少なくとも１つの第２の端面１０２と、少なくとも１つの長孔１０５と、首部１０６と、少なくとも１つの結合機関（ｊｏｉｎｔ  ｏｒｇａｎ）１０７と、を備える。この有利な実施形態による要素はこのほか、図１ｂ及び図１ｃに示される少なくとも１つの内側長孔１０５ａを備えてもよい。少なくとも１つの第１の端面１０１と少なくとも１つの第２の端面１０２とは互いから離間する。少なくとも１つの第１の端面１０１と少なくとも１つの第２の端面１０２とは互いから離間しており、その間の距離は、少なくとも１つの第１の側面１０３及び少なくとも１つの第２の側面１０４の長さによって規定される。少なくとも１つの第１の側面１０３と少なくとも１つの第２の側面１０４とは互いから離間する。少なくとも１つの第１の側面１０３と少なくとも１つの第２の側面１０４とは互いから離間しており、その間の距離は、少なくとも１つの第１の端面１０１及び少なくとも１つの第２の端面１０２の少なくとも長さによって規定される。
【００３５】
少なくとも１つの長孔１０５は、少なくとも１つの第１の端面１０１から要素の内側部分に向かって延びる。有利なことには、少なくとも１つの長孔１０５は、少なくとも１つの第１の端面１０１から要素の内側部分に向かって要素の首部１０６まで延びる。さらに有利なことには、少なくとも１つの長孔１０５は、少なくとも１つの第２の端面１０２から要素の内側部分に向かって要素の首部１０６まで延びる。
【００３６】
首部１０６は、要素を第１の半体と第２の半体とに分割する。第１の半体は、要素の少なくとも１つの第１の側面１０３の側にある部分である。第２の半体は、要素の少なくとも１つの第２の側面１０４の側にある部分である。首部１０６の高さは、互いから離間する少なくとも１つの第１の端面１０１と少なくとも１つの第２の端面１０２との間の距離に満たない。首部１０６の高さは、少なくとも１つの第１の側面１０３の長さに満たない。首部１０６の高さは、少なくとも１つの第２の側面１０４の長さに満たない。有利なことには、首部１０６の高さは、少なくとも１つの第１の側面１０３及び少なくとも１つの第２の側面１０４の長さに満たない。少なくとも１つの長孔１０５の長さは、首部１０６の高さが最大でも第１の側面１０３の長さと少なくとも１つの長孔１０５の長さとの間の差であるように、首部の高さを規定する。内側長孔１０５ａを設ける場合には、少なくとも１つの長孔１０５と少なくとも１つの内側長孔１０５ａとを合わせた長さは、首部１０６の高さが最大でも第１の側面１０３の長さと、少なくとも１つの長孔１０５と少なくとも１つの内側長孔１０５ａとを合わせた長さとの間の差であるように、首部の高さを規定する。首部１０６の幅は、最大でも、要素の最も幅の広い長孔１０５の幅である。首部１０６の幅は、第１の端面１０１の長さに満たない。首部１０６の幅は、第２の端面１０２の長さに満たない。首部１０６の幅は、第１の端面１０１及び第２の端面１０２の長さに満たない。
【００３７】
少なくとも１つの結合機関１０７は、少なくとも１つの第１の端面１０１上の少なくとも１つのタップであって、別の個別の要素の少なくとも１つの第２の端面１０２にある少なくとも１つの穴に嵌合するタップと、少なくとも１つの第２の端面１０２上の少なくとも１つのタップであって、別の個別の要素の少なくとも１つの第１の端面１０１にある少なくとも１つの穴に嵌合するタップと、少なくとも１つの第１の端面１０１の長さに沿う長孔であって、別の個別の要素の少なくとも１つの第２の端面１０２と組み合わせる長孔と、少なくとも１つの第２の端面１０２の長さに沿う長孔であって、別の個別の要素の少なくとも１つの第１の端面１０１と組み合わせる長孔とのうちの少なくとも１つであってもよい。少なくとも１つの結合機関１０７は、少なくとも２つの個別の要素の結合をさらに耐久性のあるものにすることができる。
【００３８】
図２ａは、本発明による構成物の要素の例示的な設定を示す。本発明による構成物は、少なくとも２つの第１の要素２０１の少なくとも１つの第１群２０を備える。この有利な実施形態では、第１群２０は、４つの個別の第１の要素２０１を備える。また、本発明による構成物は、少なくとも２つの第２の要素２１１の少なくとも１つの第２群２１を備える。この有利な実施形態では、第２群２１は４つの個別の第２の要素２１１を備える。この有利な実施形態では、本発明による構成物はこのほか、少なくとも２つの第３の要素２２１の少なくとも１つの第３群２２を備える。この実施形態では、第３群２２は２つの個別の第３の要素２２１を備える。この有利な実施形態による個別の第１の要素２０１、第２の要素２１１及び第３の要素２２１は、図１ａ、図１ｂ、図１ｃ及び図１ｄに記載の個別の要素１０１〜１０７の全特徴を備える。図１ａ、図１ｂ、図１ｃ及び図１ｄに記載の特徴には対応する参照番号が付与される。
【００３９】
少なくとも２つの第２の要素２０１の第１群２０では、個別の第２の要素が、互いから離間した少なくとも１つの第１の端面１０１と少なくとも１つの第２の端面１０２と、少なくとも１つの長孔１０５と、高さが少なくとも１つの第１の端面１０１と少なくとも１つの第２の端面１０２との間の距離に満たない首部１０６と、を備える。少なくとも２つの第１の要素２０１の第１群２０では、少なくとも２つの第１の要素２０１は、交差するように、少なくとも部分的に組み合わせることができる。そのため、少なくとも１つの第１の要素２０１の少なくとも１つの長孔１０５は、少なくとも１つの他の第１の要素２０１の首部１０６に対して、少なくとも部分的に寸法決めされる。
【００４０】
少なくとも２つの第１の要素２１１の第２群２１では、個別の第１の要素が、互いから離間した少なくとも１つの第１の端面１０１と少なくとも１つの第２の端面１０２と、少なくとも１つの長孔１０５と、高さが少なくとも１つの第１の端面１０１と少なくとも１つの第２の端面１０２との間の距離よりも小さい首部１０６と、を備える。少なくとも２つの第２の要素２１１の第２群２１では、少なくとも２つの第２の要素２１１は、交差するように、少なくとも部分的に組み合わせることができる。そのため、少なくとも１つの第２の要素２１１の少なくとも１つの長孔１０５は、少なくとも１つの他の第２の要素２１１の首部１０６に対して、少なくとも部分的に寸法決めされる。
【００４１】
少なくとも２つの第３の要素２２１の第３群２２では、個別の第３の要素が、互いから離間した少なくとも１つの第１の端面１０１と少なくとも１つの第２の端面１０２と、少なくとも１つの長孔１０５と、高さが少なくとも１つの第１の端面１０１と少なくとも１つの第２の端面１０２との間の距離に満たない首部１０６と、を備える。少なくとも２つの第３の要素２２１の第３群２２では、少なくとも２つの第３の要素２２１は、交差するように、少なくとも部分的に組み合わせることができる。そのため、少なくとも１つの第３の要素２２１の少なくとも１つの長孔１０５は、少なくとも１つの他の第３の要素２２１の首部１０６に対して、少なくとも部分的に寸法決めされる。
【００４２】
図２ｂは、本発明による構成物の図２ａに記載の要素の例示的な組み立てを示す。この有利な実施形態による個別の第１の要素２０１、第２の要素２１１及び第３の要素２２１は、図１ａ、図１ｂ、図１ｃ及び図１ｄに記載の個別の要素１０１〜１０７の全特徴を備える。図１ａ、図１ｂ、図１ｃ及び図１ｄに記載の特徴には、対応する参照番号を付与して言及する。
【００４３】
ステップ２３にて、少なくとも２つの第２の要素２０１の第１群２０では、個別の第２の要素が、互いから離間した少なくとも１つの第１の端面１０１と少なくとも１つの第２の端面１０２と、少なくとも１つの長孔１０５と、高さが少なくとも１つの第１の端面１０１と少なくとも１つの第２の端面１０２との間の距離に満たない首部１０６と、を備える。少なくとも２つの第１の要素２０１の第１群２０では、少なくとも２つの第１の要素２０１は、交差するように、少なくとも部分的に組み合わせることができる。そのため、少なくとも１つの第１の要素２０１の少なくとも１つの長孔１０５は、少なくとも１つの他の第１の要素２０１の首部１０６に対して、少なくとも部分的に寸法決めされる。これに応じて、第１群２０の少なくとも２つの第１の要素２０１は組み合わされる。少なくとも２つの第１の要素２０１の第１群２０では、少なくとも２つの第１の要素２０１は、交差するように、少なくとも部分的に組み合わされ、そのため、少なくとも１つの第１の要素２０１の少なくとも１つの長孔１０５は、少なくとも１つの他の第１の要素２０１の首部１０６に対して、少なくとも部分的に寸法決めされる。組み合わされる少なくとも２つの第１の要素２０１の第１群２０は、本発明による構成物の層２３を形成する。
【００４４】
ステップ２４にて、少なくとも２つの第１の要素２１１の第２群２１では、個別の第１の要素が、互いから離間した少なくとも１つの第１の端面１０１と少なくとも１つの第２の端面１０２と、少なくとも１つの長孔１０５と、高さが少なくとも１つの第１の端面１０１と少なくとも１つの第２の端面１０２との間の距離に満たない首部１０６と、を備える。少なくとも２つの第２の要素２１１の第２群２１では、少なくとも２つの第２の要素２１１は、交差するように、少なくとも部分的に組み合わせることができ、そのため、少なくとも１つの第２の要素２１１の少なくとも１つの長孔１０５は、少なくとも１つの他の第２の要素２１１の首部１０６に対して、少なくとも部分的に寸法決めされる。これに応じて、少なくとも２つの第２の要素２１１は少なくとも部分的に組み合わされる。少なくとも２つの第２の要素２１１は、交差するように、少なくとも部分的に組み合わされ、そのため、少なくとも１つの第２の要素２１１の少なくとも１つの長孔１０５は、少なくとも１つの他の第２の要素２１１の首部１０６に対して、少なくとも部分的に寸法決めされる。また、少なくとも１つの第２の要素２１１の少なくとも１つの第２の端面１０２は、少なくとも１つの第１の要素２０１の少なくとも１つの第１の端面１０１に少なくとも部分的に装着することができる。また、少なくとも１つの第２の要素２１１の少なくとも１つの第２の端面１０２は、少なくとも１つの第１の要素２０１の少なくとも１つの第１の端面１０１に少なくとも部分的に装着される。有利なことには、少なくとも１つの第２の要素２１１の少なくとも１つの第２の端面１０２は、少なくとも１つの第１の要素２０１の少なくとも１つの第１の端面１０１の長さに少なくとも部分的に沿って装着される。組み合わされ、要素の第１群２０に接続される少なくとも２つの第１の要素２１１の第２群２１は、本発明による構成物の第２の層２４を形成する。
【００４５】
少なくとも２つの第１の要素２０１の第１群２０及び少なくとも２つの第２の要素２１１の第２群２１では、ステップ２３及び２４にて組み合わされた場合には、各群は構成物の層２３及び層２４を形成する。要素の第１群２０の少なくとも２つの要素２０１の第１の端面１０１と、要素の第２群２１の少なくとも２つの要素２１１の第１の端面１０１は、互いを比較したとき、少なくとも部分的に同一レベルに位置づけられる。
【００４６】
ステップ２５によれば、少なくとももう１つの層２５が構成物に加えられる。少なくとも２つの第３の要素２２１の第３群２２では、個別の第３の要素が、互いから離間した少なくとも１つの第１の端面１０１と少なくとも１つの第２の端面１０２と、少なくとも１つの長孔１０５と、高さが少なくとも１つの第１の端面１０１と少なくとも１つの第２の端面１０２との間の距離に満たない首部１０６と、を備える。少なくとも２つの第３の要素２２１の第３群２２では、少なくとも２つの第３の要素２２１は、交差するように、少なくとも部分的に組み合わせることができ、そのため、少なくとも１つの第３の要素２２１の少なくとも１つの長孔１０５は、少なくとも１つの他の第３の要素２２１の首部１０６に対して、少なくとも部分的に寸法決めされる。
【００４７】
これに応じて、少なくとも２つの第３の要素２２１は、少なくとも部分的に組み合わされる。ステップ２５ではさらに、少なくとも２つの第３の要素２２１は、交差するように、少なくとも部分的に組み合わされ、そのため、少なくとも１つの第３の要素２２１の少なくとも１つの長孔１０５は、少なくとも１つの他の第３の要素２２１の首部１０６に対して、少なくとも部分的に寸法決めされる。また、少なくとも１つの第３の要素２２１の少なくとも１つの第２の端面１０２は、構成物の前の層２４にて、少なくとも１つの要素２１１の少なくとも１つの第１の端面１０１に少なくとも部分的に装着することができる。また、少なくとも１つの第３の要素２２１の少なくとも１つの第２の端面１０２は、構成物の前の層２４にて、少なくとも１つの要素２１１の少なくとも１つの第１の端面１０１に少なくとも部分的に装着することができる。有利なことには、少なくとも１つの第３の要素２２１の少なくとも１つの第２の端面１０２は、構成物の前の層２４にて、少なくとも１つの要素２１１の少なくとも１つの第１の端面１０１の長さに少なくとも部分的に沿って装着される。
【００４８】
要素の第１群２０の少なくとも２つの要素２０１の第１の端面１０１、要素の第２群２１の少なくとも２つの要素２１１の第１の端面１０１及び要素の少なくとも１つの第３群２２の少なくとも２つの要素２２１の第１の端面１０１は、互いに比較したとき、少なくとも部分的に同一レベルに位置づけられる。要素の第１群２０の少なくとも２つの要素２０１の第１の端面１０１、要素の第２群２１の少なくとも２つの要素２１１の第１の端面１０１及び要素の少なくとも１つの第３群２２の少なくとも２つの要素２２１の第１の端面１０１は、組み合わされた場合に互いに比較したとき、少なくとも部分的に同一レベルに位置づけられる。さらに有利なことには、要素の少なくとも１つの群（２０、２１、２２）の少なくとも２つの要素（２０１、２１１、２２１）の第１の端面１０１は、互いに比較したとき、少なくとも部分的に同一レベルに位置づけられる。
【００４９】
図３ａは、本発明による構成物の要素の例示的な設定を示す。本発明による構成物は、少なくとも２つの第１の要素３０１の少なくとも１つの第１群３０を備える。この有利な実施形態では、第１群３０は、５つの個別の第１の要素３０１を備える。また、本発明による構成物は、少なくとも２つの第２の要素３１１の少なくとも１つの第２群３１を備える。この有利な実施形態では、第２群３１は、５つの個別の第２の要素３１１を備える。この有利な実施形態では、本発明による構成物はこのほか、少なくとも２つの第３の要素（３２１、３３１、３４１）の少なくとも１つの第３群３２〜３４を備える。この実施形態では、少なくとも１つの第３群３２〜３４のそれぞれは、５つの個別の第３の要素（３２１、３３１、３４１）を備える。この有利な実施形態による個別の第１の要素３０１、第２の要素３１１及び第３の要素（３２１、３３１、３４１）は、図１ａ、図１ｂ、図１ｃ及び図１ｄに記載の個別の要素１０１〜１０７の全特徴を備える。図１ａ、図１ｂ、図１ｃ及び図１ｄに記載の特徴には、対応する参照番号を付与して言及する。
【００５０】
少なくとも２つの第１の要素３０１の第１群３０では、個別の第１の要素が、互いから離間した少なくとも１つの第１の端面１０１と少なくとも１つの第２の端面１０２と、少なくとも１つの長孔１０５と、高さが少なくとも１つの第１の端面１０１と少なくとも１つの第２の端面１０２との間の距離に満たない首部１０６と、を備える。少なくとも２つの第１の要素３０１の第１群３０では、少なくとも２つの第１の要素３０１は、交差するように、少なくとも部分的に組み合わせることができ、そのため、少なくとも１つの第１の要素３０１の少なくとも１つの長孔１０５は、少なくとも１つの他の第１の要素３０１の首部１０６に対して、少なくとも部分的に寸法決めされる。
【００５１】
少なくとも２つの第２の要素３１１の第２群３１では、個別の第２の要素が、互いから離間した少なくとも１つの第１の端面１０１と少なくとも１つの第２の端面１０２と、少なくとも１つの長孔１０５と、高さが少なくとも１つの第１の端面１０１と少なくとも１つの第２の端面１０２との間の距離に満たない首部１０６と、を備える。少なくとも２つの第２の要素３１１の第２群３１では、少なくとも２つの第２の要素３１１は、交差するように、少なくとも部分的に組み合わせることができ、そのため、少なくとも１つの第２の要素３１１の少なくとも１つの長孔１０５は、少なくとも１つの他の第２の要素３１１の首部１０６に対して、少なくとも部分的に寸法決めされる。
【００５２】
少なくとも２つの第１の要素（３２１、３３１、３４１）の少なくとも１つの第３群３２〜３４では、個別の第３の要素が、互いから離間した少なくとも１つの第１の端面１０１と少なくとも１つの第２の端面１０２と、少なくとも１つの長孔１０５と、高さが少なくとも１つの第１の端面１０１と少なくとも１つの第２の端面１０２との間の距離に満たない首部１０６と、を備える。少なくとも２つの第３の要素（３２１、３３１、３４１）の少なくとも１つの第３群３２〜３４では、少なくとも２つの第３の要素（３２１、３３１、３４１）は、交差するように、少なくとも部分的に組み合わせることができ、そのため、少なくとも１つの第３の要素（３２１、３３１、３４１）の少なくとも１つの長孔１０５は、少なくとも１つの他の第３の要素（３２１、３３１、３４１）の首部１０６に対して、少なくとも部分的に寸法決めされる。
【００５３】
図３ｂは、本発明による構成物の図３ａに記載の要素の例示的な組み立てを示す。この有利な実施形態による個別の第１の要素３０１、第２の要素３１１及び第３の要素（３２１、３３１、３４１）は、図１ａ、図１ｂ、図１ｃ及び図１ｄに記載の個別の要素１０１〜１０７の全特徴を備える。図１ａ、図１ｂ、図１ｃ及び図１ｄに記載の特徴には、対応する参照番号を付与して言及する。
【００５４】
ステップ３５にて、少なくとも２つの第１の要素３０１の第１群３０では、個別の第１の要素が、互いから離間した少なくとも１つの第１の端面１０１と少なくとも１つの第２の端面１０２と、少なくとも１つの長孔１０５と、高さが少なくとも１つの第１の端面１０１と少なくとも１つの第２の端面１０２との間の距離に満たない首部１０６と、を備える。少なくとも２つの第１の要素３０１の第１群３０では、少なくとも２つの第１の要素３０１は、交差するように、少なくとも部分的に組み合わせることができ、そのため、少なくとも１つの第１の要素３０１の少なくとも１つの長孔１０５は、少なくとも１つの他の第１の要素３０１の首部１０６に対して、少なくとも部分的に寸法決めされる。また、これに応じて、第１群３０の少なくとも２つの第１の要素３０１は組み合わされる。少なくとも２つの第１の要素３０１の第１群３０では、少なくとも２つの第１の要素３０１は、交差するように、少なくとも部分的に組み合わされ、そのため、少なくとも１つの第１の要素３０１の少なくとも１つの長孔１０５は、少なくとも１つの他の第１の要素３０１の首部１０６に対して、少なくとも部分的に寸法決めされる。組み合わされる少なくとも２つの第１の要素３０１の第１群３０は、本発明による構成物の層３５を形成する。
【００５５】
ステップ３６にて、少なくとも２つの第２の要素３１１の第２群３１では、個別の第２の要素が、互いから離間した少なくとも１つの第１の端面１０１と少なくとも１つの第２の端面１０２と、少なくとも１つの長孔１０５と、高さが少なくとも１つの第１の端面１０１と少なくとも１つの第２の端面１０２との間の距離に満たない首部１０６と、を備える。少なくとも２つの第２の要素３１１の第２群３１では、少なくとも２つの第２の要素３１１は、交差するように、少なくとも部分的に組み合わせることができ、そのため、少なくとも１つの第２の要素３１１の少なくとも１つの長孔１０５は、少なくとも１つの他の第２の要素３１１の首部１０６に対して、少なくとも部分的に寸法決めされる。これに応じて、少なくとも２つの第２の要素３１１は少なくとも部分的に組み合わされる。
【００５６】
また、少なくとも２つの第２の要素３１１は、交差するように、少なくとも部分的に組み合わされ、そのため、少なくとも１つの第２の要素３１１の少なくとも１つの長孔１０５は、少なくとも１つの他の第２の要素３１１の首部１０６に対して、少なくとも部分的に寸法決めされる。また、少なくとも１つの第２の要素３１１の少なくとも１つの第２の端面１０２は、少なくとも１つの第１の要素３０１の少なくとも１つの第１の端面１０１に少なくとも部分的に装着することができる。少なくとも１つの第２の要素３１１の少なくとも１つの第２の端面１０２は、少なくとも１つの第１の要素３０１の少なくとも１つの第１の端面１０１に少なくとも部分的に装着される。有利なことには、少なくとも１つの第２の要素３１１の少なくとも１つの第２の端面１０２は、少なくとも１つの第１の要素３０１の少なくとも１つの第１の端面１０１の長さに少なくとも部分的に沿って装着される。組み合わされ、要素の第１群３０に接続される少なくとも２つの第１の要素３１１の第２群３１は、本発明による構成物の第２の層３６を形成する。
【００５７】
少なくとも２つの第１の要素３０１の第１群３０及び少なくとも２つの第２の要素３１１の第２群３１では、ステップ３５及び３６にて組み合わされた場合には、各群は構成物の層３５〜３６を形成する。
【００５８】
要素の第１群３０の少なくとも２つの要素３０１の第１の端面１０１と、要素の第２群３１の少なくとも２つの要素３１１の第１の端面１０１とは、互いに比較したとき、少なくとも部分的に同一レベルに位置づけられる。有利なことには、要素の第１群３０の少なくとも２つの要素３０１の第１の端面１０１と、要素の第２群３１の少なくとも２つの要素３１１の第１の端面１０１とは、互いに比較したとき、異なるレベルに位置づけられてもよい。さらに有利なことには、要素の第１群３０の少なくとも２つの要素３０１の第１の端面１０１と、要素の第２群３１の少なくとも２つの要素３１１の第１の端面１０１とは、組み合わされた場合に互いに比較したとき、異なるレベルに位置づけられる。また、要素の第１群３０の少なくとも２つの要素３０１の第１の端面１０１と、要素の第２群３１の少なくとも２つの要素３１１の第１の端面１０１とは、互いに比較したとき、階段状に異なるレベルに位置づけられてもよい。
【００５９】
ステップ３７によれば、第３の要素３２１の少なくとももう１つの層３７が構成物に加えられる。少なくとも２つの第３の要素（３２１、３３１、３４１）の少なくとも１つの第３群３２〜３４では、個別の第３の要素が、互いから離間した少なくとも１つの第１の端面１０１と少なくとも１つの第２の端面１０２と、少なくとも１つの長孔１０５と、高さが少なくとも１つの第１の端面１０１と少なくとも１つの第２の端面１０２との間の距離に満たない首部１０６と、を備える。少なくとも２つの第３の要素（３２１、３３１、３４１）の少なくとも１つの第３群３２〜３４では、少なくとも２つの第３の要素（３２１、３３１、３４１）は、交差するように、少なくとも部分的に組み合わせることができ、そのため、少なくとも１つの第３の要素（３２１、３３１、３４１）の少なくとも１つの長孔１０５は、少なくとも１つの他の第３の要素（３２１、３３１、３４１）の首部１０６に対して、少なくとも部分的に寸法決めされる。これに応じて、少なくとも２つの第３の要素３２１は少なくとも部分的に組み合わされる。また、少なくとも２つの第３の要素３２１は、交差するように、少なくとも部分的に組み合わされ、そのため、少なくとも１つの第３の要素３２１の少なくとも１つの長孔１０５は、少なくとも１つの他の第３の要素３２１の首部１０６に対して、少なくとも部分的に寸法決めされる。有利なことには、少なくとも１つの第３の要素３２１の少なくとも１つの第２の端面１０２は、構成物の前の層３６にて、少なくとも１つの要素３１１の少なくとも１つの第１の端面１０１に少なくとも部分的に装着することができる。少なくとも１つの第３の要素３２１の少なくとも１つの第２の端面１０２は、構成物の前の層３６にて、少なくとも１つの要素３１１の少なくとも１つの第１の端面１０１に少なくとも部分的に装着される。有利なことには、少なくとも１つの第３の要素３２１の少なくとも１つの第２の端面１０２は、構成物の前の層３６にて、少なくとも１つの要素３１１の少なくとも１つの第１の端面１０１の長さに少なくとも部分的に沿って装着される。
【００６０】
要素の第１群３０の少なくとも２つの要素３０１の第１の端面１０１、要素の第２群３１の少なくとも２つの要素３１１の第１の端面１０１及び要素の少なくとも１つの第３群３２の少なくとも２つの要素３２１の第１の端面１０１は、互いに比較したとき、少なくとも部分的に同一レベルに位置づけられる。有利なことには、要素の第１群３０の少なくとも２つの要素３０１の第１の端面１０１、要素の第２群３１の少なくとも２つの要素３１１の第１の端面１０１及び要素の少なくとも１つの第３群３２の少なくとも２つの要素３２１の第１の端面１０１は、互いに比較したとき、異なるレベルに位置づけられてもよい。また、要素の第１群３０の少なくとも２つの要素３０１の第１の端面１０１、要素の第２群３１の少なくとも２つの要素３１１の第１の端面１０１及び要素の少なくとも１つの第３群３２の少なくとも２つの要素３２１の第１の端面１０１は、互いに比較したとき、階段状に異なるレベルに位置づけられてもよい。
【００６１】
図４ｃは、図３ｂの続きであり、本発明による構成物の図３ａに記載の要素の例示的な組み立てを示す。ステップ３８は、図３ｂのステップ３７からの続きである。
【００６２】
ステップ３８によれば、ステップ３７と同じように、第３の要素３３１の少なくとももう１つの層３８が構成物に加えられる。少なくとも２つの第３の要素３３１は、交差するように、少なくとも部分的に組み合わされ、そのため、少なくとも１つの第３の要素３２１の少なくとも１つの長孔１０５は、少なくとも１つの他の第３の要素３２１の首部１０６に対して、少なくとも部分的に寸法決めされる。また、少なくとも１つの第３の要素３２１の少なくとも１つの第２の端面１０２は、構成物の前の層３７にて、少なくとも１つの要素３１１の少なくとも１つの第１の端面１０１に少なくとも部分的に装着することができる。また、少なくとも１つの第３の要素３２１の少なくとも１つの第２の端面１０２は、構成物の前の層３７にて、少なくとも１つの要素３１１の少なくとも１つの第１の端面１０１に少なくとも部分的に装着される。また、少なくとも１つの第３の要素３２１の少なくとも１つの第２の端面１０２は、構成物の前の層３７にて、少なくとも１つの要素３１１の少なくとも１つの第１の端面１０１の長さに少なくとも部分的に沿って装着される。
【００６３】
要素の第１群３０の少なくとも２つの要素３０１の第１の端面１０１、要素の第２群３１の少なくとも２つの要素３１１の第１の端面１０１及び要素の少なくとも１つの第３群（３２、３３）の少なくとも２つの要素（３２１、３３１）の第１の端面１０１は、互いに比較したとき、少なくとも部分的に同一レベルに位置づけられる。有利なことには、要素の第１群３０の少なくとも２つの要素３０１の第１の端面１０１、要素の第２群３１の少なくとも２つの要素３１１の第１の端面１０１及び要素の少なくとも１つの第３群（３２、３３）の少なくとも２つの要素（３２１、３３１）の第１の端面１０１は、互いに比較したとき、異なるレベルに位置づけられてもよい。また、要素の第１群３０の少なくとも２つの要素３０１の第１の端面１０１、要素の第２群３１の少なくとも２つの要素３１１の第１の端面１０１及び要素の少なくとも１つの第３群（３２、３３）の少なくとも２つの要素（３２１、３３１）の第１の端面１０１は、互いに比較したとき、階段状に異なるレベルに位置づけられてもよい。
【００６４】
ステップ３９によれば、ステップ３７及び３８と同じように、第３の要素３４１の少なくとももう１つの層３９が構成物に加えられる。少なくとも２つの第３の要素３４１は、交差するように、少なくとも部分的に組み合わされ、そのため、少なくとも１つの第３の要素３４１の少なくとも１つの長孔１０５は、少なくとも１つの他の第３の要素３４１の首部１０６に対して、少なくとも部分的に寸法決めされる。また、少なくとも１つの第３の要素３４１の少なくとも１つの第２の端面１０２は、構成物の前の層３８にて、少なくとも１つの要素３３１の少なくとも１つの第１の端面１０１に少なくとも部分的に装着することができる。また、少なくとも１つの第３の要素３４１の少なくとも１つの第２の端面１０２は、構成物の前の層３８にて、少なくとも１つの要素３３１の少なくとも１つの第１の端面１０１に少なくとも部分的に装着される。また、少なくとも１つの第３の要素３４１の少なくとも１つの第２の端面１０２は、構成物の前の層３８にて、少なくとも１つの要素３３１の少なくとも１つの第１の端面１０１の長さに少なくとも部分的に沿って装着される。
【００６５】
ステップ３９によれば、少なくとも２つの第３の要素（３２１、３３１、３４１）の加えられた第３群３２〜３４は、ステップ３７〜３９にて組み合わされた場合に、構成物の層３７〜３９を形成する。
【００６６】
ステップ３９によれば、要素の第１群３０の少なくとも２つの第1の要素３０１の第１の端面１０１、要素の第２群３１の少なくとも２つの第２の要素３１１の第１の端面１０１及び要素の少なくとも１つの第３群（３２、３３、３４）の少なくとも２つの第３の要素（３２１、３３１、３４１）の第１の端面１０１は、互いに比較したとき、少なくとも部分的に同一レベルに位置づけられる。有利なことには、要素の第１群３０の少なくとも２つの要素３０１の第１の端面１０１、要素の第２群３１の少なくとも２つの要素３１１の第１の端面１０１及び要素の少なくとも１つの第３群（３２、３３、３４）の少なくとも２つの要素（３２１、３３１、３４１）の第１の端面１０１は、互いに比較したとき、異なるレベルに位置づけられてもよい。このほか、要素の第１群３０の少なくとも２つの要素３０１の第１の端面１０１、要素の第２群３１の少なくとも２つの要素３１１の第１の端面１０１及び要素の少なくとも１つの第３群（３２、３３、３４）の少なくとも２つの要素（３２１、３３１、３４１）の第１の端面１０１は、互いに比較したとき、階段状に異なるレベルに位置づけられてもよい。
【００６７】
ステップ３９によれば、さらに有利なことには、要素の少なくとも１つの群（３０、３１、３２、３３、３４）の少なくとも２つの要素（３０１、３１１、３２１、３３１、３４１）の第１の端面１０１は、互いに比較したとき、少なくとも部分的に同一レベルに位置づけられる。また、さらに有利なことには、要素の少なくとも１つの群（３０、３１、３２、３３、３４）の少なくとも２つの要素（３０１、３１１、３２１、３３１、３４１）の第１の端面１０１は、組み合わされた場合に互いに比較したとき、異なるレベルに位置づけられる。最終的に、要素の少なくとも１つの群（３０、３１、３２、３３、３４）の少なくとも２つの要素（３０１、３１１、３２１、３３１、３４１）の第１の端面１０１は、互いに比較したとき、階段状に異なるレベルに位置づけられる。このほか有利なことには、要素の少なくとも１つの群（２０〜２２、３０〜３４）の少なくとも２つの要素（２０１、２１１、２２１、３０１、３１１、３２１、３３１、３４１）の第１の端面（１０１）は、組み合わされた場合に互いに比較したとき、同一レベルか異なるレベルの少なくともいずれかに、少なくとも部分的に位置づけられる。
【００６８】
きわめて有利なことには、少なくとも２つの要素の１つの群（２０〜２２、３０〜３４）の個別の要素（２０１、２１１、２２１、３０１、３１１、３２１、３３１、３４１）は、交差するように、少なくとも部分的に組み合わされ、そのため、少なくとも１つの個別の要素（２０１、２１１、２２１、３０１、３１１、３２１、３３１、３４１）の少なくとも１つの長孔（１０５）は、少なくとも２つの要素（２０〜２５、３０〜３９）の同一群の少なくとも１つの他の個別の要素（２０１、２１１、２２１、３０１、３１１、３２１、３３１、３４１）の首部１０６に対して、少なくとも部分的に寸法決めされる。また、少なくとも１つの個別の第２又は第３の要素（２１１、２２１、３１１、３２１、３３１、３４１）の少なくとも１つの第２の端面（１０２）は、構成物の前の層（２３〜２５、３５〜３９）にて、少なくとも１つの個別の第１、第２又は第３の要素（２０１、２１１、２２１、３０１、３１１、３２１、３３１、３４１）の少なくとも１つの第１の端面（１０１）に少なくとも部分的に装着される。
【００６９】
図４ａは、本発明による例示的な接続要素を示す。接続要素とは、本発明による少なくとも２つの構成物を互いに接続するように構成される要素である。接続要素を、これまでに挙げた実施形態のいずれかの個別の要素と代えてもよい。
【００７０】
接続要素は、第１の端部４００４と、第２の端部４００５と、少なくとも１つの第１の端面４００１と、少なくとも１つの第２の端面４００２と、少なくとも２つの長孔４００３と、少なくとも２つの首部４００６とを備える。
【００７１】
さらに有利なことには、接続要素は、第１の端部４００４と、第２の端部４００５と、第１の端部４００４と第２の端部４００５との間で互いから離間した少なくとも１つの第１の端面４００１と少なくとも１つの第２の端面４００２と、実質的に第１の端部４００４にある少なくとも１つの長孔４００３と、実質的に第２の端部４００５にある少なくとも１つの他の長孔４００３と、を備える。この少なくとも２つの長孔４００３は、少なくとも１つの第１の端面４００１及び／又は少なくとも１つの第２の端面４００２から、高さが少なくとも１つの第１の端面４００１と少なくとも１つの第２の端面４００２との間の距離に満たない少なくとも１つの首部４００６に向かって延びている。
【００７２】
少なくとも１つの第１の端面４００１と少なくとも１つの第２の端面４００２とは互いから離間している。少なくとも１つの第１の端面４００１と少なくとも１つの第２の端面４００２とは互いから離間しており、その間の距離は、第１の端部４００４及び第２の端部４００５の長さによって実質的に規定される。第１の端部４００４と第２の端部４００５とは互いから離間している。第１の端部４００４と第２の端部４００５とは互いから離間しており、その間の距離は、少なくとも１つの第１の端面４００１及び少なくとも１つの第２の端面４００２の少なくとも長さによって実質的に規定される。
【００７３】
少なくとも１つの長孔４００３は、少なくとも１つの第１の端面４００１から接続要素の内側部分に向かって延びてもよい。有利なことには、少なくとも１つの長孔４００３は、少なくとも１つの第１の端面４００１から接続要素の内側部分に向かって接続要素の少なくとも１つの首部４００６まで延びてもよい。少なくとも１つの長孔４００３は、少なくとも１つの第２の端面４００２から接続要素の内側部分に向かって延びる。有利なことには、少なくとも１つの長孔４００３は、少なくとも１つの第２の端面４００２から接続要素の内側部分に向かって接続要素の少なくとも１つの首部４００６まで延びる。少なくとも１つの長孔４００３は、少なくとも１つの第１の端面４００１又は少なくとも１つの第２の端面４００２から接続要素の内側部分に向かって延びてもよい。少なくとも１つの長孔４００３は、少なくとも１つの第１の端面４００１又は少なくとも１つの第２の端面４００２から接続要素の内側部分に向かって接続要素の少なくとも１つの首部４００６まで延びてもよい。
【００７４】
少なくとも１つの長孔４００３の長さは、第１の端部４００４の長さに満たない。また、少なくとも１つの長孔４００３の長さは、第２の端部４００５の長さに満たない。少なくとも１つの長孔４００３の長さは、第１の端部４００４の長さ又は第２の端部４００５の長さに満たない。第１の端部４００４に実質的にある少なくとも２つの向かい合う長孔４００３の長さは、第１の端部４００４の長さに満たない。実質的に第２の端部４００５の側の少なくとも２つの向かい合う長孔４００３の長さは、第２の端部４００５の長さに満たない。少なくとも２つの向かい合う長孔４００３の長さは、少なくとも１つの第１の端面４００１と少なくとも１つの第２の端面４００２との間の距離に満たない。
【００７５】
少なくとも１つの首部４００６の高さは、少なくとも１つの第１の端面４００１と少なくとも１つの第２の端面４００２との間の距離に満たない。少なくとも１つの首部４００６の高さは、第１の端部４００４の長さに満たない。少なくとも１つの首部４００６の高さは、第２の４００５の長さに満たない。実質的に第１の端部４００４にある少なくとも１つの首部４００６の幅は、最大でも、接続要素の実質的に第１の端部４００４にある最も幅が広い長孔４００３の幅である。実質的に第２の端部４００５にある少なくとも１つの首部４００６の幅は、最大でも、接続要素の実質的に第２の端部４００５の側の最も幅が広い長孔４００３の幅である。
【００７６】
図４ｂは、本発明による別の例示的な接続要素を示す。接続要素とは、本発明による少なくとも２つの構成物を互いに接続するように構成される要素である。接続要素を、これまでに挙げた実施形態のいずれかの個別の要素と代えてもよい。
【００７７】
接続要素は、第１の端部４００４と、第２の端部４００５と、少なくとも１つの第１の端面４００１と、少なくとも１つの第２の端面４００２と、少なくとも２つの長孔４００３と、少なくとも２つの首部４００６とを備える。
【００７８】
さらに有利なことには、接続要素は、第１の端部４００４と、第２の端部４００５と、第１の端部４００４と第２の端部４００５との間で互いから離間した少なくとも１つの第１の端面４００１と少なくとも１つの第２の端面４００２と、実質的に第１の端部４００４にある少なくとも１つの長孔４００３と、実質的に第２の端部４００５にある少なくとも１つの他の長孔４００３と、を備える。この少なくとも２つの長孔４００３は、少なくとも１つの第１の端面４００１及び／又は少なくとも１つの第２の端面４００２から、高さが少なくとも１つの第１の端面４００１と少なくとも１つの第２の端面４００２との間の距離に満たない少なくとも１つの首部４００６に向かって延びている。
【００７９】
少なくとも１つの第１の端面４００１と少なくとも１つの第２の端面４００２とは互いから離間している。有利なことには、少なくとも１つの第１の端面４００１と少なくとも１つの第２の端面４００２とは互いから離間しており、その間の距離は、第１の端部４００４及び第２の端部４００５の長さによって実質的に規定される。
【００８０】
有利なことには、少なくとも１つの第１の端面４００１は、実質的に第１の端部４００４から第２の端部４００５に向かって、少なくとも部分的に湾曲してもよい。このほか有利なことには、少なくとも１つの第２の端面４００２は、実質的に第１の端部４００４から第２の端部４００５に向かって、少なくとも部分的に湾曲してもよい。有利なことには、少なくとも１つの第１の端面４００１と少なくとも１つの第２の端面４００２とは互いから離間しており、その間の距離は、第１の端部４００４と第２の端部４００５との間の長さによって実質的に規定されるが、少なくとも１つの第１の端面４００１又は少なくとも１つの第２の端面４００２が、実質的に第１の端部４００４から第２の端部４００５に向かって、少なくとも部分的に湾曲している場合には、第１の端部４００４又は第２の端部４００５の長さに満たなくてもよい。
【００８１】
第１の端部４００４と第２の端部４００５とは互いから離間している。第１の端部４００４と第２の端部４００５とは互いから離間しており、その間の距離は、少なくとも１つの第１の端面４００１及び少なくとも１つの第２の端面４００２の少なくとも長さによって実質的に規定される。
【００８２】
少なくとも１つの長孔４００３は、少なくとも１つの第１の端面４００１から接続要素の内側部分に向かって延びてもよい。有利なことには、少なくとも１つの長孔４００３は、少なくとも１つの第１の端面４００１から接続要素の内側部分に向かって接続要素の少なくとも１つの首部４００６まで延びてもよい。少なくとも１つの長孔４００３は、少なくとも１つの第２の端面４００２から接続要素の内側部分に向かって延びる。有利なことには、少なくとも１つの長孔４００３は、少なくとも１つの第２の端面４００２から接続要素の内側部分に向かって接続要素の少なくとも１つの首部４００６まで延びる。少なくとも１つの長孔４００３は、少なくとも１つの第１の端面４００１又は少なくとも１つの第２の端面４００２から接続要素の内側部分に向かって延びてもよい。少なくとも１つの長孔４００３は、少なくとも１つの第１の端面４００１又は少なくとも１つの第２の端面４００２から接続要素の内側部分に向かって接続要素の少なくとも１つの首部４００６まで延びてもよい。
【００８３】
少なくとも１つの長孔４００３の長さは、第１の端部４００４の長さに満たない。また、少なくとも１つの長孔４００３の長さは、第２の端部４００５の長さに満たない。少なくとも１つの長孔４００３の長さは、第１の端部４００４の長さ又は第２の端部４００５の長さに満たない。実質的に第１の端部４００４にある少なくとも２つの向かい合う長孔４００３の長さは、第１の端部４００４の長さに満たない。実質的に第２の端部４００５にある少なくとも２つの向かい合う長孔４００３の長さは、第２の端部４００５の長さに満たない。少なくとも２つの向かい合う長孔４００３の長さは、少なくとも１つの第１の端面４００１と少なくとも１つの第２の端面４００２との間の距離に満たない。
【００８４】
少なくとも１つの首部４００６の高さは、少なくとも１つの第１の端面４００１と少なくとも１つの第２の端面４００２との間の距離に満たない。少なくとも１つの首部４００６の高さは、第１の端部４００４の長さに満たない。少なくとも１つの首部４００６の高さは、第２の端部４００５の長さに満たない。実質的に第１の端部４００４にある少なくとも１つの首部４００６の幅は、最大でも、接続要素の実質的に第１の端部４００４にある最も幅が広い長孔４００３の幅である。実質的に第２の端部４００５にある少なくとも１つの首部４００６の幅は、最大でも、接続要素の実質的に第２の端部４００５にある最も幅が広い長孔４００３の幅である。
【００８５】
図４ｃは、接続要素の例示的な適用例を示す。図４ｃは、図４ｄの続きである。この例示的実施形態では、図４ａ及び図４ｂに記載される全特徴４００１〜４００７を有する少なくとも１つの接続要素４０４が設けられ、必要に応じて、そのような特徴４００１〜４００７に言及する。
【００８６】
ステップ４０〜４６によれば、少なくとも２つの構成物４０１〜４０３のそれぞれでは、少なくとも２つの要素の少なくとも１つの群（図２ａ〜図２ｂに記載の２０〜２２及び図３ａ〜図３ｂに記載の３０〜３４）の図１ａ〜図１ｄに記載の少なくとも１つの個別の要素は、少なくとも２つの構成物４０１〜４０３を互いに接続する接続要素４０４〜４０６であるように構成される。
【００８７】
ステップ４０では、本発明による少なくとも２つの構成物４０１〜４０３は、少なくとも１つの接続要素４０４を加えることによって、互いに接続されることになる。少なくとも１つの構成物４０３での少なくとも１つの群（図２ａ〜図２ｂに記載の２０〜２２及び図３ａ〜図３ｂに記載の３０〜３４）の図１ａ〜図１ｄに記載の少なくとも１つの個別の要素は、少なくとも２つの構成物４０１〜４０３を互いに接続する接続要素４０４であるように構成される。少なくとも１つの構成物４０３での少なくとも１つの群（図２ａ〜図２ｂに記載の２０〜２２及び図３ａ〜図３ｂに記載の３０〜３４）の図１ａ〜図１ｄに記載の少なくとも１つの個別の要素は、少なくとも２つの構成物４０１〜４０３を互いに接続することができるようにする接続要素４０４に置き換えられる。
【００８８】
少なくとも１つの接続要素４０４は、少なくとも２つの要素の少なくとも１つの群（図２ａ〜図２ｂに記載の２０〜２２及び図３ａ〜図３ｂに記載の３０〜３４）の図１ａ〜図１ｄに記載の少なくとも１つの他の個別の要素と、交差するように、少なくとも部分的に組み合わせることができ、そのため、少なくとも１つの接続要素４０４の両端部４００４〜４００５にある少なくとも１つの長孔４００３（図４ａ〜図４ｂ）は、少なくとも１つの構成物４０３での少なくとも２つの要素の少なくとも１つの群（図２ａ〜図２ｂに記載の２０〜２２及び図３ａ〜図３ｂに記載の３０〜３４）の図１ａ〜図１ｄに記載の少なくとも１つの他の個別の要素の首部１０６に対して、少なくとも部分的に寸法決めされる。
【００８９】
これに応じて、少なくとも１つの接続要素４０４は、少なくとも２つの要素の少なくとも１つの群（図２ａ〜図２ｂに記載の２０〜２２及び図３ａ〜図３ｂに記載の３０〜３４）の図１ａ〜図１ｄに記載の少なくとも１つの他の個別の要素に少なくとも部分的に組み合わされる。少なくとも１つの接続要素４０４は、少なくとも２つの要素の少なくとも１つの群（図２ａ〜図２ｂに記載の２０〜２２及び図３ａ〜図３ｂに記載の３０〜３４）の図１ａ〜図１ｄに記載の少なくとも１つの他の個別の要素と、交差するように、少なくとも部分的に組み合わされ、そのため、少なくとも１つの接続要素４０４の両端部４００４〜４００５にある少なくとも１つの長孔４００３（図４ａ〜図４ｂ）は、少なくとも１つの構成物４０３での少なくとも２つの要素の少なくとも１つの群（図２ａ〜図２ｂに記載の２０〜２２及び図３ａ〜図３ｂに記載の３０〜３４）の図１ａ〜図１ｄに記載の少なくとも１つの他の個別の要素の首部１０６に対して、少なくとも部分的に寸法決めされる。
【００９０】
少なくとも１つの接続要素４０４は、少なくとも２つの要素の少なくとも１つの群（図２ａ〜図２ｂに記載の２０〜２２及び図３ａ〜図３ｂに記載の３０〜３４）の図１ａ〜図１ｄに記載の少なくとも１つの他の個別の要素と、交差するように、少なくとも部分的に組み合わされ、そのため、少なくとも１つの接続要素４０４の第１の端部４００４又は第２の端部４００５にある少なくとも１つの長孔４００３（図４ａ〜図４ｂ）は、少なくとも１つの構成物４０３での少なくとも２つの要素の少なくとも１つの群（図２ａ〜図２ｂに記載の２０〜２２及び図３ａ〜図３ｂに記載の３０〜３４）の図１ａ〜図１ｄに記載の少なくとも１つの他の個別の要素の首部１０６に対して、少なくとも部分的に寸法決めされる。
【００９１】
ステップ４１では、本発明による少なくとも２つの構成物４０１〜４０３を互いに接続した後、少なくとも１つの他の接続要素４０５を加える。少なくとも１つの構成物４０２での少なくとも１つの群（図２ａ〜図２ｂに記載の２０〜２２及び図３ａ〜図３ｂに記載の３０〜３４）の図１ａ〜図１ｄに記載の少なくとも１つの個別の要素が、少なくとも２つの構成物４０１〜４０３を互いに接続する接続要素４０５であるように構成される。少なくとも１つの構成物４０２での少なくとも１つの群（図２ａ〜図２ｂに記載の２０〜２２及び図３ａ〜図３ｂに記載の３０〜３４）の図１ａ〜図１ｄに記載の少なくとも１つの個別の要素が、少なくとも２つの構成物４０１〜４０３を互いに接続することができるようにする接続要素４０５に置き換えられる。
【００９２】
ステップ４１ではさらに、少なくとも１つの接続要素４０５は、少なくとも２つの要素の少なくとも１つの群（図２ａ〜図２ｂに記載の２０〜２２及び図３ａ〜図３ｂに記載の３０〜３４）の図１ａ〜図１ｄに記載の少なくとも１つの他の個別の要素と、交差するように、少なくとも部分的に組み合わされ、そのため、少なくとも１つの接続要素４０５の両端部４００４〜４００５にある少なくとも１つの長孔４００３（図４ａ〜図４ｂ）は、少なくとも１つの構成物４０２での少なくとも２つの要素の少なくとも１つの群（図２ａ〜図２ｂに記載の２０〜２２及び図３ａ〜図３ｂに記載の３０〜３４）の図１ａ〜図１ｄに記載の少なくとも１つの他の個別の要素の首部１０６に対して、少なくとも部分的に寸法決めされる。
【００９３】
少なくとも１つの接続要素４０５は、少なくとも２つの要素の少なくとも１つの群（図２ａ〜図２ｂに記載の２０〜２２及び図３ａ〜図３ｂに記載の３０〜３４）の図１ａ〜図１ｄに記載の少なくとも１つの他の個別の要素と、交差するように、少なくとも部分的に組み合わされ、そのため、少なくとも１つの接続要素４０５の第１の端部４００４又は第２の端部４００５にある少なくとも１つの長孔４００３（図４ａ〜図４ｂ）は、少なくとも１つの構成物４０２での少なくとも２つの要素の少なくとも１つの群（図２ａ〜図２ｂに記載の２０〜２２及び図３ａ〜図３ｂに記載の３０〜３４）の図１ａ〜図１ｄに記載の少なくとも１つの他の個別の要素の首部１０６に対して、少なくとも部分的に寸法決めされる。
【００９４】
最終的に、ステップ４１では、少なくとも１つの接続要素４０５は、少なくとも２つの接続要素４０４〜４０５の一方の少なくとも１つの長孔４００３を、少なくとも１つの交点４１０を形成する少なくとも２つの接続要素４０４〜４０５の他方の少なくとも１つの首部４００６に対して、少なくとも部分的に寸法決めすることによって、少なくとも１つの他の接続要素４０４と組み合わせられる。
【００９５】
ステップ４２では、本発明による少なくとも２つの構成物４０１〜４０３を互いに接続した後さらに、少なくとも１つの他の接続要素４０６を加える。少なくとも１つの構成物４０１での少なくとも１つの群（図２ａ〜図２ｂに記載の２０〜２２及び図３ａ〜図３ｂに記載の３０〜３４）の図１ａ〜図１ｄに記載の少なくとも１つの個別の要素は、少なくとも２つの構成物４０１〜４０３を互いに接続する接続要素４０６であるように構成される。少なくとも１つの構成物４０１での少なくとも１つの群（図２ａ〜図２ｂに記載の２０〜２２及び図３ａ〜図３ｂに記載の３０〜３４）の図１ａ〜図１ｄに記載の少なくとも１つの個別の要素は、少なくとも２つの構成物４０１〜４０３を互いに接続することができるようにする接続要素４０６に置き換えられる。
【００９６】
ステップ４２ではさらに、少なくとも１つの接続要素４０６は、少なくとも２つの要素の少なくとも１つの群（図２ａ〜図２ｂに記載の２０〜２２及び図３ａ〜図３ｂに記載の３０〜３４）の図１ａ〜図１ｄに記載の少なくとも１つの他の個別の要素と、交差するように、少なくとも部分的に組み合わされ、そのため、少なくとも１つの接続要素４０６の両端部４００４〜４００５にある少なくとも１つの長孔４００３（図４ａ〜図４ｂ）は、少なくとも１つの構成物４０１での少なくとも２つの要素の少なくとも１つの群（図２ａ〜図２ｂに記載の２０〜２２及び図３ａ〜図３ｂに記載の３０〜３４）の図１ａ〜図１ｄに記載の少なくとも１つの他の個別の要素の首部１０６に対して、少なくとも部分的に寸法決めされる。
【００９７】
少なくとも１つの接続要素４０６は、少なくとも２つの要素の少なくとも１つの群（図２ａ〜図２ｂに記載の２０〜２２及び図３ａ〜図３ｂに記載の３０〜３４）の図１ａ〜図１ｄに記載の少なくとも１つの他の個別の要素と、交差するように、少なくとも部分的に組み合わされ、そのため、少なくとも１つの接続要素４０６の第１の端部４００４又は第２の端部４００５にある少なくとも１つの長孔４００３（図４ａ〜図４ｂ）は、少なくとも１つの構成物４０１での少なくとも２つの要素の少なくとも１つの群（図２ａ〜図２ｂに記載の２０〜２２及び図３ａ〜図３ｂに記載の３０〜３４）の図１ａ〜図１ｄに記載の少なくとも１つの他の個別の要素の首部１０６に対して、少なくとも部分的に寸法決めされる。
【００９８】
最終的に、ステップ４２では、少なくとも１つの接続要素４０６は、少なくとも２つの接続要素４０４〜４０６のいずれかの少なくとも１つの長孔４００３を、少なくとも１つの交点４１０を形成する少なくとも２つの接続要素４０４〜４０６の残りの少なくとも１つの首部４００６に対して、少なくとも部分的に寸法決めすることによって、少なくとも１つの他の接続要素４０４〜４０５と組み合わせられる。
【００９９】
ステップ４３では、少なくとも１つの接続要素４０４〜４０６はさらに、図１ａ〜図１ｄに記載される個別の要素の全特徴１０１〜１０７を備える少なくとも１つの結合部４０７によって、少なくとも１つの他の接続要素４０４〜４０６に組み合わされる。少なくとも１つの接続要素４０４〜４０６はさらに、互いから離間した少なくとも１つの第１の端面１０１と少なくとも１つの第２の端面１０２と、少なくとも１つの長孔１０５と、高さが少なくとも１つの第１の端面１０１と少なくとも１つの第２の端面１０２との間の距離に満たない首部１０６と、を備える少なくとも１つの結合部４０７によって、少なくとも１つの他の接続要素４０４〜４０６に組み合わされる。また、少なくとも１つの結合部４０７の少なくとも１つの長孔１０５は、少なくとも２つの接続要素４０４〜４０６の交点４１０に対して、少なくとも部分的に寸法決めされる。有利なことには、少なくとも１つの結合部４０７の少なくとも１つの長孔１０５は、少なくとも２つの接続要素４０４〜４０６の交点４１０に対して少なくとも部分的に寸法決めされ、少なくとも１つの接続要素４０４〜４０６の少なくとも１つの首部４００６に少なくとも部分的に対して、少なくとも部分的に寸法決めされる。
【０１００】
図４ｄは図４ｃの続きであり、接続要素の例示的な適用例を示す。
【０１０１】
ステップ４４は図４ｃのステップ４３の続きである。ステップ４４では、少なくとも１つの接続要素４０４〜４０６はさらに、図１ａ〜図１ｄに記載される個別の要素の全特徴１０１〜１０７を備える少なくとも１つの他の結合部４０８によって、少なくとも１つの他の接続要素４０４〜４０６に組み合わされる。少なくとも１つの接続要素４０４〜４０６はさらに、互いから離間した少なくとも１つの第１の端面１０１と少なくとも１つの第２の端面１０２と、少なくとも１つの長孔１０５と、高さが少なくとも１つの第１の端面１０１と少なくとも１つの第２の端面１０２との間の距離に満たない首部１０６と、を備える少なくとも１つの他の結合部４０８によって組み合わされる。また、少なくとも１つの結合部４０８の少なくとも１つの長孔１０５は、少なくとも２つの接続要素４０４〜４０６の交点４１０及び少なくとも１つの他の前に加えられた結合部４０７に対して、少なくとも部分的に寸法決めされ、そのため、少なくとも１つの結合部４０７〜４０８の少なくとも１つの長孔１０５は、別の少なくとも１つの結合部４０７〜４０８の首部１０６に対して、少なくとも部分的に寸法決めされる。少なくとも１つの結合部４０８の少なくとも１つの長孔１０５はこのほか、少なくとも２つの接続要素４０４〜４０６の交点４１０及び少なくとも１つの他の前に加えられた結合部４０７に対して、少なくとも部分的に寸法決めされてもよい。そのため、少なくとも１つの結合部４０７〜４０８の少なくとも１つの長孔１０５は、別の少なくとも１つの結合部４０７〜４０８の首部１０６又は少なくとも１つの接続要素４０４〜４０６の少なくとも１つの首部４００６に対して、少なくとも部分的に寸法決めされる。
【０１０２】
ステップ４５では、少なくとも１つの接続要素４０４〜４０６はさらに、図１ａ〜図１ｄに記載される個別の要素の全特徴１０１〜１０７を備える少なくとも１つの他の結合部４０９によって、少なくとも１つの他の接続要素４０４〜４０６に組み合わされる。少なくとも１つの接続要素４０４〜４０６はさらに、互いから離間した少なくとも１つの第１の端面１０１と少なくとも１つの第２の端面１０２と、少なくとも１つの長孔１０５と、高さが少なくとも１つの第１の端面１０１と少なくとも１つの第２の端面１０２との間の距離に満たない首部１０６と、を備える少なくとも１つの他の結合部４０９によって組み合わされる。また、少なくとも１つの結合部４０９の少なくとも１つの長孔１０５は、少なくとも２つの接続要素４０４〜４０６の交点４１０及び少なくとも１つの他の前に加えられた結合部４０７〜４０８に対して、少なくとも部分的に寸法決めされ、そのため、少なくとも１つの結合部４０９の少なくとも１つの長孔１０５は、別の少なくとも１つの前に加えられた結合部４０７〜４０８の首部１０６に対して、少なくとも部分的に寸法決めされる。
【０１０３】
有利なことには、少なくとも１つの結合部４０９の少なくとも１つの長孔１０５は、少なくとも２つの接続要素４０４〜４０６の交点４１０に対して少なくとも部分的に寸法決めされ、少なくとも１つの接続要素４０４〜４０６の少なくとも１つの首部４００６に少なくとも部分的に対して、少なくとも部分的に寸法決めされる。このほか有利なことには、少なくとも１つの結合部４０９の少なくとも１つの長孔１０５は、少なくとも２つの接続要素４０４〜４０６の交点４１０に対して少なくとも部分的に寸法決めされ、少なくとも１つの接続要素４０４〜４０７の少なくとも１つの首部４００６又は少なくとも１つの前に加えられた結合部４０７〜４０８の首部に少なくとも部分的に対して、少なくとも部分的に寸法決めされる。
【０１０４】
最終的に、ステップ４６では、少なくとも２つの構成物４０１〜４０３は互いに接続される。
【０１０５】
図５は、本発明による例示的な方法のステップを示す。本発明を説明する必要に応じて、これまでに挙げた図１ａ〜図４ｄに言及する。
【０１０６】
ステップ５０１にて、少なくとも２つの第１の要素（２０１、３０１）の第１群（２０、３０）を作成することによって、本発明による構成物の組み立て方法を開始する。ステップ５０１では、少なくとも２つの第１の要素（２０１、３０１）の第１群（２０、３０）を作成する。ここでは、個別の第１の要素が図１ａ〜図１ｄに記載の個別の要素の全特徴を備える。少なくとも２つの第１の要素（２０１、３０１）の第１群（２０、３０）が作成され、個別の第１の要素が、互いから離間した少なくとも１つの第１の端面１０１と少なくとも１つの第２の端面１０２と、少なくとも１つの長孔１０５と、高さが少なくとも１つの第１の端面１０１と少なくとも１つの第２の端面１０２との間の距離に満たない首部１０６と、を備える。少なくとも２つの第１の要素（２０１、３０１）の第１群（２０、３０）のうちの少なくとも２つの第１の要素３０１は、交差するように、少なくとも部分的に組み合わせることができ、そのため、少なくとも１つの第１の要素（２０１、３０１）の少なくとも１つの長孔１０５は、少なくとも１つの他の第１の要素（２０１、３０１）の首部１０６に対して、少なくとも部分的に寸法決めされる。
【０１０７】
これに応じて、ステップ５０２によれば、第１群（２０、３０）の少なくとも２つの第１の要素（２０１、３０１）は組み合わされる。少なくとも２つの第１の要素（２０１、３０１）の第１群（２０、３０）では、少なくとも２つの第１の要素（２０１、３０１）は、交差するように、少なくとも部分的に組み合わされ、そのため、少なくとも１つの第１の要素（２０１、３０１）の少なくとも１つの長孔１０５は、少なくとも１つの他の第１の要素３０１の首部１０６に対して、少なくとも部分的に寸法決めされる。組み合わされた少なくとも２つの第１の要素（２０１、３０１）の第１群（２０、３０）は、本発明による構成物の層（２３、３５）を形成する。
【０１０８】
さらに有利なことには、ステップ５０２によれば、この方法は、少なくとも２つの要素の１つの群（２０〜２２、３０〜３４）の個別の要素（２０１、２１１、２２１、３０１、３１１、３２１、３３１、３４１）を、交差するように、少なくとも部分的に組み合わせ、そのため、少なくとも１つの個別の要素（２０１、２１１、２２１、３０１、３１１、３２１、３３１、３４１）の少なくとも１つの長孔（１０５）は、少なくとも２つの要素（２０〜２５、３０〜３９）の同一の群の少なくとも１つの他の個別の要素（２０１、２１１、２２１、３０１、３１１、３２１、３３１、３４１）の首部（１０６）に対して、少なくとも部分的に寸法決めされるステップを含む。
【０１０９】
ステップ５０３では、少なくとも２つの第２の要素（２１１、３１１）の第２群（２１、３１）を作成する。少なくとも２つの第２の要素（２１１、３１）の第２群（２１、３１）が作成され、個別の第２の要素が、互いから離間した少なくとも１つの第１の端面１０１と少なくとも１つの第２の端面１０２と、少なくとも１つの長孔１０５と、高さが少なくとも１つの第１の端面１０１と少なくとも１つの第２の端面１０２との間の距離に満たない首部１０６と、を備える。少なくとも２つの第２の要素（２１１、３１１）の第２群（２１、３１）では、少なくとも２つの第２の要素３１１は、交差するように、少なくとも部分的に組み合わせることができ、そのため、少なくとも１つの第２の要素３１１の少なくとも１つの長孔１０５は、少なくとも１つの他の第２の要素３１１の首部１０６に対して、少なくとも部分的に寸法決めされる。
【０１１０】
これに応じて、ステップ５０４では、少なくとも２つの第２の要素（２１１、３１１）は少なくとも部分的に組み合わされる。また、少なくとも２つの第２の要素（２１１、３１１）は、交差するように、少なくとも部分的に組み合わされ、そのため、少なくとも１つの第２の要素（２１１、３１１）の少なくとも１つの長孔１０５は、少なくとも１つの他の第２の要素（２１１、３１１）の首部１０６に対して、少なくとも部分的に寸法決めされる。少なくとも２つの第２の要素（２１１、３１１）は、交差するように、少なくとも部分的に組み合わされ、そのため、少なくとも１つの第２の要素（２１１、３１１）の少なくとも１つの長孔１０５は、少なくとも１つの他の第２の要素（２１１、３１１）の首部１０６に対して、少なくとも部分的に寸法決めされ、少なくとも１つの第２の要素（２１１、３１１）の少なくとも１つの長孔１０５は、少なくとも１つの他の第２の要素（２１１、３１１）の少なくとも１つの長孔１０５と少なくとも部分的に交差し、向かい合うように、寸法決めされる。
【０１１１】
さらに有利なことには、ステップ５０４によれば、この方法は、少なくとも２つの要素の１つの群（２０〜２２、３０〜３４）の個別の要素（２０１、２１１、２２１、３０１、３１１、３２１、３３１、３４１）を、交差するように、少なくとも部分的に組み合わせ、そのため、少なくとも１つの個別の要素（２０１、２１１、２２１、３０１、３１１、３２１、３３１、３４１）の少なくとも１つの長孔（１０５）は、少なくとも２つの要素（２０〜２５、３０〜３９）の同一の群の少なくとも１つの他の個別の要素（２０１、２１１、２２１、３０１、３１１、３２１、３３１、３４１）の首部（１０６）に対して、少なくとも部分的に寸法決めされるステップをさらに含む。
【０１１２】
ステップ５０５では、少なくとも１つの第２の要素（２１１、３１１）の少なくとも１つの第２の端面１０２は、少なくとも１つの第１の要素（２０１、３０１）の少なくとも１つの第１の端面１０１に少なくとも部分的に装着される。有利なことには、少なくとも１つの第２の要素（２１１、３１１）の少なくとも１つの第２の端面１０２は、少なくとも１つの第１の要素（２０１、３０１）の少なくとも１つの第１の端面１０１の長さに少なくとも部分的に沿って装着される。少なくとも２つの第１の要素（２１１、３１１）の第２群（２１、３１）は、本発明による構成物の第２の層（２４、３６）を形成する要素の第１群（２０、３０）に組み合わされ、接続される。
【０１１３】
さらに有利なことには、ステップ５０５によれば、この方法は、少なくとも１つの個別の第２又は第３の要素（２１１、２２１、３１１、３２１、３３１、３４１）の少なくとも１つの第２の端面（１０２）を、構成物の前の層（２３〜２５、３５〜３９）にて、少なくとも１つの個別の第１、第２又は第３の要素（２０１、２１１、２２１、３０１、３１１、３２１、３３１、３４１）の少なくとも１つの第１の端面（１０１）に少なくとも部分的に装着するステップをさらに含む。
【０１１４】
ステップ５０６によれば、前のステップによって、少なくとも２つの第１の要素（２０１、３０１）の第１群（２０、３０）と、少なくとも２つの第２の要素（２１１、３１１）の第２群（２１、３１）とを組み合わせると、それぞれの群（２０、３０、２１、３１）が構成物の層（２３〜２４、３５〜３６）を形成するようになる。
【０１１５】
要素の第１群（２０、３０）の少なくとも２つの要素（２０１、３０１）の第１の端面１０１と、要素の第２群（２１、３１）の少なくとも２つの要素（２１１、３１１）の第１の端面１０１とは、組み合わされた場合、互いに比較したとき、少なくとも部分的に同一レベルに位置づけられる。有利なことには、要素の第１群（２０、３０）の少なくとも２つの要素（２０１、３０１）の第１の端面１０１と、要素の第２群（２１、３１）の少なくとも２つの要素（２１１、３１１）の第１の端面１０１とは、組み合わされた場合、互いに比較したとき、異なるレベルに位置づけられてもよい。要素の第１群（２０、３０）の少なくとも２つの要素（２０１、３０１）の第１の端面１０１と、要素の第２群（２１、３１）の少なくとも２つの要素（２１１、３１１）の第１の端面１０１とは、組み合わされた場合、互いに比較したとき、異なるレベルに位置づけられる。このほか、要素の第１群（２０、３０）の少なくとも２つの要素（２０１、３０１）の第１の端面１０１と、要素の第２群（２１、３１）の少なくとも２つの要素（２１１、３１１）の第１の端面１０１とは、互いに比較したとき、階段状に異なるレベルに位置づけられてもよい。
【０１１６】
次に、ステップ５０７かステップ５１１のいずれかが実施される。工程のこの時点でステップ５１１が選択された場合には、層（２３〜２４、３５〜３６）がさらに構成物に加えられることはないことになり、本発明による構成物の組み立てが完了する。
【０１１７】
有利なことには、ステップ５０７が選択された場合、少なくとも１つの他の層（２５、３７〜３９）が最終的には本発明による構成物に加えられる。ステップ５０７では、少なくとも２つの第１の要素（２２１、３２１、３３１、３４１）の少なくとも１つの第３群（２２、３２〜３４）が作成される。少なくとも２つの第３の要素（２２１、３２１、３３１、３４１）の少なくとも１つの第３群（２２、３２〜３４）が作成され、個別の第３の要素が、互いから離間した少なくとも１つの第１の端面１０１と少なくとも１つの第２の端面１０２と、少なくとも１つの長孔１０５と、高さが少なくとも１つの第１の端面１０１と少なくとも１つの第２の端面１０２との間の距離に満たない首部１０６と、を備える。少なくとも２つの第３の要素（２２１、３２１、３３１、３４１）の少なくとも１つの第３群（２２、３２〜３４）では、少なくとも２つの第３の要素（２２１、３２１、３３１、３４１）は、交差するように、少なくとも部分的に組み合わすことができ、そのため、少なくとも１つの第３の要素（２２１、３２１、３３１、３４１）の少なくとも１つの長孔１０５は、少なくとも１つの他の第３の要素（２２１、３２１、３３１、３４１）の首部１０６に対して、少なくとも部分的に寸法決めされる。
【０１１８】
これに応じて、ステップ５０８では、少なくとも２つの第３の要素（２２１、３２１、３３１、３４１）は、少なくとも部分的に組み合わされる。また、少なくとも２つの第３の要素（２２１、３２１、３３１、３４１）は、交差するように、少なくとも部分的に組み合わされ、そのため、少なくとも１つの第３の要素（２２１、３２１、３３１、３４１）の少なくとも１つの長孔１０５は、少なくとも１つの他の第３の要素（２２１、３２１、３３１、３４１）の首部１０６に対して、少なくとも部分的に寸法決めされる。
【０１１９】
さらに有利なことには、ステップ５０８によれば、この方法は、少なくとも２つの要素の１つの群（２０〜２２、３０〜３４）の個別の要素（２０１、２１１、２２１、３０１、３１１、３２１、３３１、３４１）を、交差するように、少なくとも部分的に組み合わせ、そのため、少なくとも１つの個別の要素（２０１、２１１、２２１、３０１、３１１、３２１、３３１、３４１）の少なくとも１つの長孔（１０５）は、少なくとも２つの要素（２０〜２５、３０〜３９）の同一の群の少なくとも１つの他の個別の要素（２０１、２１１、２２１、３０１、３１１、３２１、３３１、３４１）の首部（１０６）に対して、少なくとも部分的に寸法決めされるステップをさらに含む。
【０１２０】
ステップ５０９では、少なくとも１つの第３の要素（２２１、３２１、３３１、３４１）の少なくとも１つの第２の端面１０２はこのほか、構成物の前の層（２４、３６〜３８）にて、少なくとも１つの要素の少なくとも１つの第１の端面１０１に少なくとも部分的に装着される。少なくとも１つの第３の要素（２２１、３２１、３３１、３４１）の少なくとも１つの第２の端面１０２は、構成物での前に加えられた層（２４、３６〜３８）にて、少なくとも１つの要素（２１１、３１１）の少なくとも１つの第１の端面１０１の長さに少なくとも部分的に沿って装着される。
【０１２１】
ステップ５１０では、ステップ５０７〜５０８によって、少なくとも２つの第３の要素の少なくとも１つの第３群（３２〜３４）を組み合わせると、構成物に少なくとも１つの層（３７〜３９）を加えることになる。組み立てられた直後の構成物では、要素の第１群（２０、３０）の少なくとも２つの第１の要素（２０１、３０１）の第１の端面１０１と、要素の第２群（２１、３１）の少なくとも２つの第２の要素（２１１、３１１）の第１の端面１０１と、要素の少なくとも１つの第３群（２２、３２〜３４）の少なくとも２つの第３の要素（２２１、３２１、３３１、３４１）の第１の端面１０１とは、互いに比較したとき、少なくとも部分的に同一レベルに位置づけられる。有利なことには、組み立てられた直後の構成物では、要素の第１群（２０、３０）の少なくとも２つの第１の要素（２０１、３０１）の第１の端面１０１と、要素の第２群（２１、３１）の少なくとも２つの第２の要素（２１１、３１１）の第１の端面１０１と、要素の少なくとも１つの第３群（２２、３２〜３４）の少なくとも２つの第３の要素（２２１、３２１、３３１、３４１）の第１の端面１０１とは、互いに比較したとき、異なるレベルに位置づけられてもよい。このほか、組み立てられた直後の構成物では、要素の第１群（２０、３０）の少なくとも２つの第１の要素（２０１、３０１）の第１の端面１０１と、要素の第２群（２１、３１）の少なくとも２つの第２の要素（２１１、３１１）の第１の端面１０１と、要素の少なくとも１つの第３群（２２、３２〜３４）の少なくとも２つの第３の要素（２２１、３２１、３３１、３４１）の第１の端面１０１とは、互いに比較したとき、階段状に異なるレベルに位置づけられてもよい。
【０１２２】
さらに有利なことには、組み立てられた直後の構成物では、要素の第１群（２０、３０）の少なくとも２つの第１の要素（２０１、３０１）の第１の端面１０１と、要素の第２群（２１、３１）の少なくとも２つの第２の要素（２１１、３１１）の第１の端面１０１と、要素の少なくとも１つの第３群（２２、３２〜３４）の少なくとも２つの第３の要素（２２１、３２１、３３１、３４１）の第１の端面１０１とは、互いに比較したとき、異なるレベルに位置づけられる。最終的に、要素の第１群（２０、３０）の少なくとも２つの第１の要素（２０１、３０１）の第１の端面１０１と、要素の第２群（２１、３１）の少なくとも２つの第２の要素（２１１、３１１）の第１の端面１０１と、要素の少なくとも１つの第３群（２２、３２〜３４）の少なくとも２つの第３の要素（２２１、３２１、３３１、３４１）の第１の端面１０１とは、互いに比較したとき、階段状に異なるレベルに位置づけられる。
【０１２３】
有利なことには、この方法によれば、構成物にさらに層を加える必要がある場合には、ステップ５０７〜５１０をこの時点で繰り返してもよい。構成物にさらに層を加える必要がない場合には、この方法は、ステップ５１１を選択することにより完了し、本発明による構成物が組み立てられる。
【０１２４】
きわめて有利なことには、ステップ５０２、５０４〜５０５及び５０８〜５１１によれば、この方法は、少なくとも２つの要素の１つの群（２０〜２２、３０〜３４）の個別の要素（２０１、２１１、２２１、３０１、３１１、３２１、３３１、３４１）を、交差するように、少なくとも部分的に組み合わせ、そのため、少なくとも１つの個別の要素（２０１、２１１、２２１、３０１、３１１、３２１、３３１、３４１）の少なくとも１つの長孔（１０５）は、少なくとも２つの要素（２０〜２５、３０〜３９）の同一の群の少なくとも１つの他の個別の要素（２０１、２１１、２２１、３０１、３１１、３２１、３３１、３４１）の首部（１０６）に対して、少なくとも部分的に寸法決めされるステップをさらに含む。ステップ５０２、５０４〜５０５及び５０８〜５１１による方法はこのほか、少なくとも１つの個別の第２又は第３の要素（２１１、２２１、３１１、３２１、３３１、３４１）の少なくとも１つの第２の端面１０２を、構成物の前の層（２３〜２５、３５〜３９）にて、少なくとも１つの個別の第１、第２又は第３の要素（２０１、２１１、２２１、３０１、３１１、３２１、３３１、３４１）の少なくとも１つの第１の端面１０１に少なくとも部分的に装着するステップを含む。
【０１２５】
きわめて有利なことには、ステップ５０１〜５１１による方法は、構成物（２５〜２５、３５〜３９）を組み立てることによって三次元物体を形成するステップをさらに含む。
【０１２６】
最終的に、組み立てる前の構成物の個別の要素（２０１、２１１、２２１、３０１、３１１、３２１、３３１、３４１）は、容器に梱包されていてもよい。有利なことには、組み立てる前の構成物の個別の要素（２０１、２１１、２２１、３０１、３１１、３２１、３３１、３４１）は、互いに類似する要素をまとめて梱包して梱包空間を節約するように、容器に梱包されてもよい。有利なことには、組み立てる前の構成物の個別の要素（２０１、２１１、２２１、３０１、３１１、３２１、３３１、３４１）は、要素の同一の群（２０〜２２、３０〜３４）に属して互いに類似する要素が、梱包空間を節約するためにまとめて梱包されるように、容器に梱包されてもよい。さらに有利なことには、組み立てる前の構成物の個別の要素（２０１、２１１、２２１、３０１、３１１、３２１、３３１、３４１）は、要素（２０〜２２、３０〜３４）の同一の群に属して互いに類似する要素が、梱包空間を節約するためにまとめて梱包されるように、容器に梱包されてもよく、この容器自体は、個別の要素（２０１、２１１、２２１、３０１、３１１、３２１、３３１、３４１）を容器にどのように梱包するべきかを誘導する。
【０１２７】
本発明の基本概念は、さまざまな方法で実施されてもよく、一定数の個別の要素、個別の要素の一定の接続順序又は組み合わせ順序、一定数の構成物の層、個別の要素の一定の形態あるいは接続要素又は結合部の一定の形態又は数に限定されるものではないことは、当業者には明らかである。このため、本発明とその実施形態は、上記の例に制限されるものではないが、特許請求の範囲内で変更してもよい。このため、異なる構成要件を除外又は処理してもよく、あるいは同等の構成要件と置き換えてもよい。
【図１ａ】
0006770067.tif 000002
【図１ｂ】
0006770067.tif 000003
【図１ｃ】
0006770067.tif 000004
【図１ｄ】
0006770067.tif 000005
【図２ａ】
0006770067.tif 000006
【図２ｂ】
0006770067.tif 000007
【図３ａ】
0006770067.tif 000008
【図３ｂ】
0006770067.tif 000009
【図３ｃ】
0006770067.tif 000010
【図４ａ】
0006770067.tif 000011
【図４ｂ】
0006770067.tif 000012
【図４ｃ】
0006770067.tif 000013
【図４ｄ】
0006770067.tif 000014
【図５】
0006770067.tif 000015